(57)【要約】【課題】ＣＲ用コンソールとＦＰＤ用コンソールが混在する状況において、放射線発生装置に対する撮影条件の設定を自動的に行うかマニュアルで行うかを的確に設定可能な放射線画像撮影システムを提供する。【解決手段】放射線画像撮影システム５０は、ＦＰＤカセッテ１Ｆと、ＣＲカセッテ１Ｃと、放射線発生装置５７と、ＦＰＤ用コンソール５８Ｆと、ＣＲ用コンソール５８Ｃとを備え、ＦＰＤ用コンソール５８Ｆは、撮影オーダ情報に含まれる撮影条件に基づいて放射線発生装置５７に撮影条件を自動設定する連携モードと、設定手段５７ａを介して撮影条件が設定されることを許容する非連携モードとを設定可能とされており、連携モードが設定されると、ＦＰＤ用コンソール５８Ｆは撮影条件を放射線発生装置５７に送信し、放射線発生装置５７は送信されてきた撮影条件に基づいて放射線源５２から照射する放射線の照射線量を設定する。【選択図】図１
2012125309.tif 000002
【特許請求の範囲】
【請求項１】
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積させるＣＲカセッテと、
撮影条件を設定可能な設定手段と、前記撮影条件に基づく照射線量で前記ＦＰＤカセッテまたは前記ＣＲカセッテに放射線を照射する放射線源と、前記放射線源に放射線の照射開始を指示する曝射スイッチとを備える放射線発生装置と、
前記ＦＰＤカセッテから読み出された画像データに基づいて放射線画像を生成するＦＰＤ用コンソールと、
前記ＣＲカセッテから読み出された画像データに基づいて放射線画像を生成するＣＲ用コンソールと、
を備え、
少なくとも前記ＦＰＤ用コンソールは、
選択された撮影オーダ情報に含まれる撮影条件に基づいて前記放射線発生装置に前記撮影条件を自動設定する連携モードと、
前記ＦＰＤ用コンソールでは前記放射線発生装置に対して前記撮影条件を設定せず、前記設定手段を介して前記放射線発生装置に前記撮影条件が設定されることを許容する非連携モードと、
を設定可能とされており、
前記連携モードが設定されると、前記ＦＰＤ用コンソールは、選択された前記撮影オーダ情報に含まれる前記撮影条件を前記放射線発生装置に送信し、前記放射線発生装置は、送信されてきた前記撮影条件に基づいて少なくとも前記放射線源から照射する放射線の前記照射線量を設定することを特徴とする放射線画像撮影システム。
【請求項２】
前記ＦＰＤ用コンソールは、前記連携モードが設定された場合、前記曝射スイッチが操作された前記放射線発生装置から照射開始信号が送信されてくると、前記ＦＰＤカセッテに対して撮影可能な状態であるか否かを問い合わせ、当該ＦＰＤカセッテから放射線の照射を許容する信号が送信されてくると、前記放射線発生装置に対してインターロック解除信号を送信し、
前記放射線発生装置は、前記連携モードが設定された場合には、前記ＦＰＤ用コンソールから前記インターロック解除信号が送信されてきた時点で初めて前記放射線源から放射線を照射させることを特徴とする請求項１に記載の放射線画像撮影システム。
【請求項３】
前記放射線発生装置は、少なくとも前記ＦＰＤ用コンソールで前記連携モードが設定された場合には、前記放射線源から放射線を照射するごとに撮影実施結果を前記ＦＰＤ用コンソールに送信し、
前記ＦＰＤ用コンソールは、生成した前記放射線画像とともに、前記放射線発生装置から送信されてきた前記撮影実施結果を、対応する前記撮影オーダ情報に対応付けることを特徴とする請求項１または請求項２に記載の放射線画像撮影システム。
【請求項４】
前記ＦＰＤカセッテは、前記ＦＰＤ用コンソールを介して前記放射線発生装置と同期をとりながら撮影を行う同期方式と、前記放射線発生装置と同期をとらずに自ら放射線が照射されたことを検出して撮影を行う非同期方式とのいずれの方式でも撮影を行うことができるように構成されていることを特徴とする請求項１から請求項３のいずれか一項に記載の放射線画像撮影システム。
【請求項５】
前記ＦＰＤカセッテは、ブッキー装置に装填されて撮影に用いられる場合には前記同期方式で撮影を行い、前記ブッキー装置に装填されずに単独の状態で撮影に用いられる場合には前記非同期方式で撮影を行うことを特徴とする請求項４に記載の放射線画像撮影システム。
【請求項６】
前記放射線発生装置の前記曝射スイッチには、少なくとも放射線画像撮影が前記ＦＰＤカセッテを用いて前記非同期方式で行われる場合に、前記ＦＰＤカセッテが撮影可能な状態でない場合に前記曝射スイッチが操作されることを防止するための誤曝射防止手段が設けられていることを特徴とする請求項４または請求項５に記載の放射線画像撮影システム。
【請求項７】
前記誤曝射防止手段は、前記曝射スイッチに取り付けられたカバー装置であり、
前記カバー装置は、開状態では前記曝射スイッチに対する操作を許容し、閉状態では前記曝射スイッチに対する操作を行えないようにするように構成されており、
前記ＦＰＤ用コンソールは、少なくとも放射線画像撮影が前記ＦＰＤカセッテを用いて前記非同期方式で行われる場合には、前記ＦＰＤカセッテが撮影可能な状態になった場合に前記カバー装置を開状態とするように制御することを特徴とする請求項６に記載の放射線画像撮影システム。
【請求項８】
前記誤曝射防止手段である前記カバー装置は、放射線画像撮影が前記ＣＲカセッテを用いて行われる場合には常時開状態とされることを特徴とする請求項７に記載の放射線画像撮影システム。
【請求項９】
前記連携モードと前記非連携モードの設定を、前記ＦＰＤ用コンソールで行う代わりに、前記放射線発生装置上で行い、
前記放射線発生装置は、少なくとも前記連携モードが設定された場合には、前記ＦＰＤ用コンソールに対して前記連携モードが設定された旨を通知し、
前記ＦＰＤ用コンソールは、前記放射線発生装置から前記連携モードが設定された旨の通知を受けると、選択された前記撮影オーダ情報に含まれる前記撮影条件を前記放射線発生装置に送信し、前記放射線発生装置は、送信されてきた前記撮影条件に基づいて少なくとも前記放射線源から照射する放射線の前記照射線量を設定することを特徴とする請求項１から請求項８のいずれか一項に記載の放射線画像撮影システム。
【発明の詳細な説明】
【技術分野】
【０００１】
本発明は、放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体プレート（輝尽性蛍光体シートともいう。）を用いたＣＲ（Computed Radiography）カセッテが開発され、最近では、照射された放射線を放射線検出素子で検出してデジタル画像データとして取得する放射線画像撮影装置が開発されている。
【０００３】
このタイプの放射線画像撮影装置はＦＰＤ（Flat Panel Detector）として知られており、上記のＣＲカセッテを用いた撮影よりも画像データ表示を素早く行えるので、早期診断に貢献可能となっている。従来は、支持台等と一体的に形成された、いわゆる専用機として開発された（例えば特許文献１、２参照）。また、近年、放射線検出素子等をハウジングに収納して可搬とした可搬型の放射線画像撮影装置が開発され、実用化されている（例えば特許文献３、４参照）。
【０００４】
放射線画像撮影装置としては、照射されたＸ線等の放射線の照射線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が知られている。なお、本発明では、直接型の放射線画像撮影装置における検出素子や、間接型の放射線画像撮影装置における光電変換素子を、あわせて放射線検出素子という。
【０００５】
なお、本発明では、可搬型の放射線画像撮影装置をＦＰＤカセッテというものとする。また、ＦＰＤカセッテを用いて撮影を行う方式をＦＰＤ方式と略称し、ＣＲカセッテを用いて撮影を行う方式をＣＲ方式と略称する場合がある。
【０００６】
ところで、従来のＣＲ方式による撮影では、ＣＲカセッテに放射線を照射する放射線源を備える放射線発生装置に対して、撮影前に、放射線技師等の撮影者が、放射線源から放射線を照射する際の撮影条件をマニュアルで設定していた。すなわち、撮影者が、例えば「胸部正面」等の被写体の撮影部位や撮影方向等の撮影条件にあわせて、放射線源のＸ線管球に供給する管電圧や管電流等を自ら設定していた。
【０００７】
また、近年、コンソールと放射線発生装置とを連携接続し、撮影者がコンソール（なお、以下、このコンソールをＣＲ用コンソールという。）を操作して、撮影条件を含む撮影オーダ情報（例えば後述する図１４等参照）をＨＩＳ（Hospital Information System；病院情報システム）やＲＩＳ（Radiology Information System；放射線科情報システム）から入手し、コンソール上で撮影オーダ情報を選択すると、コンソールから放射線発生装置に選択された撮影オーダ情報中に含まれる撮影条件等を自動送信して、送信されてきた撮影条件に基づいて放射線発生装置が放射線源に供給する管電圧や管電流等を自動設定するシステムも開発されている。
【０００８】
一方、ＦＰＤカセッテを用いた撮影では、コンソールで、ＦＰＤカセッテのみならず放射線発生装置をも制御して、上記と同様に、コンソール（なお、以下、このコンソールをＦＰＤ用コンソールという。）上で選択された撮影オーダ情報中に含まれる撮影条件等を放射線発生装置に自動送信して、放射線発生装置に対する撮影条件の設定を自動的に行うシステムの開発が進められている（例えば特許文献５等参照）。
【０００９】
なお、以下、ＣＲ用コンソールにせよＦＰＤ用コンソールにせよ、上記のように、コンソールが選択された撮影オーダ情報に含まれる撮影条件に基づいて放射線発生装置に撮影条件を自動設定する方式を連携方式といい、放射線発生装置に対して放射線技師等の撮影者が撮影条件をマニュアルで設定する方式を非連携方式という。
【先行技術文献】
【特許文献】
【００１０】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】特開２００９−２７９０５５号公報
【発明の概要】
【発明が解決しようとする課題】
【００１１】
ところで、現在、病院や医院等の施設に設置されている撮影装置としては、撮影にＣＲカセッテを用いるＣＲ方式が主流であるが、今後、病院や医院等にＦＰＤカセッテが導入されることが予想されており、今後しばらくの間、病院等の撮影室内に、ＣＲカセッテとＦＰＤカセッテとが混在する状態になることが予想されている。
【００１２】
また、ＣＲ方式に用いられるＣＲ用コンソールが、汎用コンピュータにソフトウェアを組み込んだものであれば、ＣＲ用コンソールにＦＰＤ方式用のソフトウェアを組み込んで、１つのコンソールをＣＲ用としてもＦＰＤ用としても使用することが可能となる。しかし、施設に既設のＣＲ用コンソールは、汎用コンピュータを用いたものでなく、専用機である場合も少なくない。
【００１３】
そのような状況で、上記のようにＦＰＤ方式を導入しようとすると、特にＣＲ用コンソールとＦＰＤ用コンソールの製造メーカーが異なっているような場合には、専用機型のＣＲ用コンソールに、ＦＰＤ方式用のソフトウェアを組み込めず、結局、ＦＰＤ用コンソールを別途導入することが必要になる場合も多いと予想される。
【００１４】
しかし、このような場合、一方で、従来からのＣＲ方式での撮影に慣れている放射線技師等の撮影者が、放射線発生装置に対する撮影条件の設定を自ら行わずに、導入されたＦＰＤ用コンソールで撮影者の意図に関係なく、いわば勝手に放射線発生装置に対する撮影条件の設定が自動的に行われてしまうこと（すなわち連携方式）に違和感を覚える場合があり得る。
【００１５】
他方、ＦＰＤ用コンソールで放射線発生装置に対する撮影条件の設定を自動的に行わないように設定してしまうと（すなわち非連携方式の場合）、ＦＰＤ用コンソールで放射線発生装置に対する撮影条件の設定を自動的に行いたいと考える放射線技師等の撮影者が、自らマニュアルで撮影条件を設定しなければならなくなり、ＦＰＤ用コンソールを含む放射線画像撮影システムが非常に使い勝手が悪いものになってしまう場合もあり得る。
【００１６】
そして、ＣＲ用コンソールや新たに導入されたＦＰＤ用コンソールを使って撮影を行う放射線技師等が限定される場合には、その放射線技師等の好みに合った設定（すなわち連携方式または非連携方式に適合する設定）がなされたＦＰＤ用コンソールを導入すればよい。
【００１７】
しかし、特に、放射線技師等が複数存在するような場合には、ＦＰＤ用コンソールの設定（すなわち連携方式か非連携方式かの設定）が限定されると、その設定を好ましく思わない放射線技師等にとっては、ＦＰＤ用コンソールを含む放射線画像撮影システムが非常に使い勝手が悪いものになってしまうといった問題が生じ得る。
【００１８】
本発明は、上記の点を鑑みてなされたものであり、ＣＲ用コンソールとＦＰＤ用コンソールが混在する状況において、放射線発生装置に対する撮影条件の設定を自動的に行うか（すなわち連携方式で行うか）マニュアルで行うか（すなわち非連携方式で行うか）を的確に設定可能な放射線画像撮影システムを提供することを目的とする。
【課題を解決するための手段】
【００１９】
前記の問題を解決するために、本発明の放射線画像撮影システムは、
二次元状に配列された複数の放射線検出素子を備え、放射線の照射により前記各放射線検出素子内で発生した電荷を画像データとして読み出すＦＰＤカセッテと、
輝尽性蛍光体プレートを内蔵し、放射された放射線のエネルギを前記輝尽性蛍光体プレートに蓄積させるＣＲカセッテと、
撮影条件を設定可能な設定手段と、前記撮影条件に基づく照射線量で前記ＦＰＤカセッテまたは前記ＣＲカセッテに放射線を照射する放射線源と、前記放射線源に放射線の照射開始を指示する曝射スイッチとを備える放射線発生装置と、
前記ＦＰＤカセッテから読み出された画像データに基づいて放射線画像を生成するＦＰＤ用コンソールと、
前記ＣＲカセッテから読み出された画像データに基づいて放射線画像を生成するＣＲ用コンソールと、
を備え、
少なくとも前記ＦＰＤ用コンソールは、
選択された撮影オーダ情報に含まれる撮影条件に基づいて前記放射線発生装置に前記撮影条件を自動設定する連携モードと、
前記ＦＰＤ用コンソールでは前記放射線発生装置に対して前記撮影条件を設定せず、前記設定手段を介して前記放射線発生装置に前記撮影条件が設定されることを許容する非連携モードと、
を設定可能とされており、
前記連携モードが設定されると、前記ＦＰＤ用コンソールは、選択された前記撮影オーダ情報に含まれる前記撮影条件を前記放射線発生装置に送信し、前記放射線発生装置は、送信されてきた前記撮影条件に基づいて少なくとも前記放射線源から照射する放射線の前記照射線量を設定することを特徴とする。
【発明の効果】
【００２０】
本発明のような方式の放射線画像撮影システムによれば、ＦＰＤ用コンソールで連携モードか非連携モードかを自由に設定することが可能となるため、施設に既設のＣＲ用コンソールでの仕様に関連して、放射線技師等の撮影者が、ＦＰＤ用コンソールの仕様を自由に設定することが可能となる。
【００２１】
そのため、施設内にＣＲ用コンソールとＦＰＤ用コンソールが混在する状況においても、放射線発生装置に対する撮影条件の設定を自動的に行うか（すなわち連携モードで行うか）マニュアルで行うか（すなわち非連携モードで行うか）を、撮影者自身の好みにあわせて、或いは施設の決まりに従って、自由にかつ的確に設定することが可能となり、放射線画像撮影システムが撮影者にとって非常に使い勝手がよいものとなる。
【図面の簡単な説明】
【００２２】
【図１】本実施形態に係る放射線画像撮影システムの全体構成を示す図である。
【図２】ＦＰＤカセッテの外観斜視図である。
【図３】図２のＦＰＤカセッテを反対側から見た外観斜視図である。
【図４】図２におけるＡ−Ａ線に沿う断面図である。
【図５】ＦＰＤカセッテの基板の構成を示す平面図である。
【図６】図５の基板上の小領域に形成された放射線検出素子とＴＦＴ等の構成を示す拡大図である。
【図７】フレキシブル回路基板やＰＣＢ基板等が取り付けられた基板を説明する側面図である。
【図８】ＦＰＤカセッテの等価回路を表すブロック図である。
【図９】ＦＰＤカセッテを用いて同期方式で撮影を行う場合にゲートドライバ各走査線にオン電圧を印加するタイミングを表すタイミングチャートである。
【図１０】カセッテ保持部の内部にコネクタが設けられたブッキー装置を説明する図である。
【図１１】ＦＰＤカセッテのコネクタとブッキー装置のコネクタとが接続された状態を表す外観斜視図である。
【図１２】ＦＰＤカセッテがクレードルに挿入され、コネクタ同士が接続された状態を表す断面図である。
【図１３】（Ａ）は曝射スイッチの構成を示す図であり、（Ｂ）はボタン部に対する１段目の操作がなされた状態、（Ｃ）は２段目の操作がなされた状態を説明する図である。
【図１４】撮影オーダ情報の例を示す図である。
【図１５】撮影オーダ情報を表示する選択画面の例を示す図である。
【図１６】選択された各撮影オーダ情報に対応する各アイコン等が表示された画面の例を示す図である。
【図１７】フォーカスされた元のアイコンの位置にプレビュー画像が表示された状態を示す図である。
【図１８】次のアイコンがフォーカスされ、元のアイコンの位置に放射線画像が表示された状態を示す図である。
【図１９】（Ａ）はカバー装置の構成を表す側面図であり、（Ｂ）は蓋部が開放された状態のカバー装置の構成を表す平面図である。
【図２０】光学的検知手段の構成を表す概略図である。
【図２１】（Ａ）カバー装置の蝶番構造の部分に設けられるタンブラーバネの例を示す側面図であり、（Ｂ）と蝶番構造の部分を正面から見た拡大図である。
【図２２】カバー装置の別の構成例を表す概略図である。
【発明を実施するための形態】
【００２３】
以下、本発明に係る放射線画像撮影システムの実施の形態について、図面を参照して説明する。ただし、本発明は以下の図示例のものに限定されるものではない。
【００２４】
なお、本実施形態では、図１に示すように、撮影室ＲａとＦＰＤ用コンソール５８ＦおよびＣＲ用コンソール５８Ｃとが１対１に対応付けられている場合について説明するが、複数の撮影室ＲａとＦＰＤ用コンソール５８ＦおよびＣＲ用コンソール５８Ｃとが例えばネットワークを介して接続されているようなシステムに対しても本発明を適用することができる。
【００２５】
図１は、本実施形態に係る放射線画像撮影システムの全体構成を示す図である。撮影室Ｒａは、患者の身体の一部である被写体（すなわち患者の撮影部位）に放射線を照射して放射線画像撮影を行う部屋であり、被写体に放射線を照射するための放射線照射装置の放射線発生装置５７の放射線源５２等が配置されている。なお、撮影室Ｒａは、放射線が撮影室外に漏洩しないように鉛などでシールドされている。
【００２６】
本実施形態では、放射線画像撮影装置として、以下で説明するようなＦＰＤカセッテ（すなわち可搬型の放射線画像撮影装置）１Ｆが用いられるようになっている。また、撮影室Ｒａには、ＦＰＤカセッテＩＦのほかに、ＣＲカセッテ１Ｃも備えられており、或いは持ち込み可能とされており、また、ＦＰＤカセッテ１ＦやＣＲカセッテ１Ｃを装填可能なブッキー装置５１が設けられている。なお、ブッキー装置５１や放射線源５２等については、後で説明する。
【００２７】
ここで、まず、放射線画像撮影システム５０で放射線画像撮影に用いられるＣＲカセッテ１Ｃについて説明する。
【００２８】
ＣＲカセッテ１Ｃの構成としては、例えば特開２００３−２８７８３３号公報等に記載されている構成を採用することが可能であるが、ＣＲカセッテ１Ｃについては、公知のものを用いることが可能であり、放射された放射線のエネルギを蓄積させる輝尽性蛍光体プレートを備えるものであれば、特に限定されない。
【００２９】
また、本実施形態では、ＣＲカセッテ１Ｃには、例えばその裏面等に、ＣＲカセッテ１Ｃの識別情報等を担持する図示しないバーコードが貼付されており、後述するように、撮影後、ＣＲカセッテ１Ｃを撮影室Ｒａ外に設置された後述する画像読取装置６１に装填して輝尽性蛍光体プレートから画像データＤを読み出す際に、画像読取装置６１により、バーコードが読み取られるようになっている。
【００３０】
次に、放射線画像撮影システム５０で放射線画像撮影に用いられるＦＰＤカセッテ１Ｆについて説明する。
【００３１】
なお、以下では、ＦＰＤカセッテ１Ｆとして、シンチレータ等を備え、放射された放射線を可視光等の他の波長の電磁波に変換して電気信号を得るいわゆる間接型のＦＰＤカセッテについて説明するが、本発明は、シンチレータ等を介さずに放射線を放射線検出素子で直接検出する、いわゆる直接型のＦＰＤカセッテに対しても適用することができる。
【００３２】
図２は、ＦＰＤカセッテの外観斜視図であり、図３は、ＦＰＤカセッテを反対側から見た外観斜視図である。また、図４は、図２のＡ−Ａ線に沿う断面図である。ＦＰＤカセッテ１Ｆは、図２〜図４に示すように、筐体状のハウジング２内にシンチレータ３や基板４等で構成されるセンサパネルＳＰが収納されている。
【００３３】
図２や図３に示すように、ＦＰＤカセッテ１Ｆの筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フレーム板とバック板とで形成された、いわゆる弁当箱型とすることも可能である。
【００３４】
図２に示すように、筐体２の一方側の蓋部材２Ｂには、電源スイッチ３７や選択スイッチ３８、コネクタ３９、バッテリ状態やＦＰＤカセッテ１Ｆの稼働状態等を表示するＬＥＤ等で構成されたインジケータ４０等が配置されている。
【００３５】
また、図３に示すように、筐体２の反対側の蓋部材２Ｃには、画像データ等をＦＰＤ用コンソール５８Ｆ（図１参照）に無線で送信するための通信手段であるアンテナ装置４１が埋め込まれている。なお、画像データ等をＦＰＤ用コンソール５８Ｆに有線方式で送信するように構成することも可能であり、その場合、例えば、前述したコネクタ３９にケーブル等を接続して送受信するように構成される。また、アンテナ装置４１を設ける場合には、アンテナ装置４１の筐体２上の配置場所や配置する個数は適宜決められる。
【００３６】
筐体２の内部には、図４に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３７】
なお、基板４やシンチレータ３の放射線入射面Ｒ側には、それらを保護するためのガラス基板３５が配設されている。また、センサパネルＳＰと筐体２の側面との間に、それらがぶつかり合うことを防止するための緩衝材３６が設けられている。
【００３８】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００３９】
基板４は、ガラス基板で構成されており、図５に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００４０】
このように、走査線５と信号線６で区画された各小領域ｒに二次元状（マトリクス状ともいう。）に配列された複数の放射線検出素子７が設けられた領域ｒ全体、すなわち図５に一点鎖線で示される領域が検出部Ｐとされている。
【００４１】
本実施形態では、放射線検出素子７として、フォトダイオードが用いられているが、この他にも例えばフォトトランジスタ等を用いることも可能である。各放射線検出素子７は、図５の拡大図である図６に示すように、スイッチ手段であるＴＦＴ８のソース電極８ｓに接続されている。また、ＴＦＴ８のドレイン電極８ｄは信号線６に接続されている。
【００４２】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００４３】
図５や図６に示すように、列状に配置された複数の放射線検出素子７にそれぞれバイアス線９が接続されており、図５に示すように、各バイアス線９は、基板４の検出部Ｐの外側の位置で１本の結線１０に結束されている。
【００４４】
また、各走査線５や各信号線６、バイアス線９の結線１０は、それぞれ基板４の端縁部付近に設けられた入出力端子（パッドともいう）１１に接続されている。各入出力端子１１には、図７に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００４５】
また、フレキシブル回路基板１２は、基板４の裏面４ｂ側に引き回され、裏面４ｂ側で前述したＰＣＢ基板３３に接続されるようになっている。このようにして、ＦＰＤカセッテ１ＦのセンサパネルＳＰの基板４部分が形成されている。なお、図７では、電子部品３２等の図示が省略されている。
【００４６】
ここで、図８を用いてＦＰＤカセッテ１Ｆの回路構成について説明する。
【００４７】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（厳密に言えば逆バイアス電圧）を印加するようになっている。
【００４８】
また、各放射線検出素子７の他方の電極はＴＦＴ８のソース電極８ｓ（図８中ではＳと表記されている。）に接続されており、各ＴＦＴ８のゲート電極８ｇ（図８中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図８中ではＤと表記されている。）は各信号線６にそれぞれ接続されている。
【００４９】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００５０】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００５１】
例えば、放射線画像撮影の際に、被写体を介してＦＰＤカセッテ１Ｆに放射線が照射されると、シンチレータ３で放射線が他の波長の電磁波に変換され、変換された電磁波がその直下の放射線検出素子７に照射される。そして、照射された放射線の照射線量（すなわち電磁波の光量）に応じて放射線検出素子７内で電荷が発生する。
【００５２】
各放射線検出素子７からの画像データＤの読み出し処理においては、走査駆動手段１５のゲートドライバ１５ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００５３】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００５４】
また、本実施形態では、図８に示すように、バイアス線９の結線１０に、結線１０中を流れる電流を例えば電圧値に変換する電流検出手段４２が設けられている。電流検出手段４２は、電流値から変換した電圧値を制御手段２２に出力するようになっている。
【００５５】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５６】
制御手段２２は、ＦＰＤカセッテ１Ｆの走査駆動手段１５や読み出し回路１７等の各機能部の動作等を制御するようになっている。制御手段２２には、ＤＲＡＭ（Dynamic ＲＡＭ）等で構成される記憶手段２３や、ＦＰＤカセッテ１Ｆの各機能部に電力を供給するバッテリ２４が接続されている。また、制御手段２２には、前述したアンテナ装置４１が接続されている。
【００５７】
ここで、放射線画像撮影の際のＦＰＤカセッテ１Ｆにおける処理等について説明する。本実施形態では、ＦＰＤカセッテ１Ｆは、下記の同期方式と非同期方式のいずれの方式でも撮影を行うことができるようになっている。
【００５８】
なお、前述した連携方式や非連携方式は、後述するＦＰＤ用コンソール５８ＦやＣＲ用コンソール５８Ｃ（図１参照）が放射線発生装置５７に対して撮影条件を自動設定するか（すなわち連携方式）、或いは放射線技師等がマニュアルで設定するか（すなわち非連携方式）の違い、すなわち放射線発生装置５７に対する撮影条件の設定の違いを表すものであった。
【００５９】
それに対して、同期方式や非同期方式は、下記のように、放射線画像撮影の際に、ＦＰＤ用コンソール５８Ｆを介してＦＰＤカセッテ１Ｆと放射線発生装置５７との間で同期をとりながら撮影を行うか同期をとらないで撮影を行うかの違いを表すものである。なお、本実施形態では、ＦＰＤカセッテ１Ｆは、後述するように、ブッキー装置５１に装填されて用いられる場合には同期方式で、また、ブッキー装置５１に装填されずに単独の状態で用いられる場合には非同期方式で、それぞれ撮影を行うようになっている。
【００６０】
例えば、前述した従来の専用機型の放射線画像撮影装置では、通常、放射線画像撮影装置側と放射線発生装置５７側との間でインターフェースが構築され、両者の間で信号等をやり取りし曝射開始タイミング等の同期をとりながら放射線画像撮影を行うように構成されていた。
【００６１】
そこで、ＦＰＤカセッテ１Ｆを用いる場合でも、ＦＰＤカセッテ１Ｆと放射線発生装置５７との間にＦＰＤ用コンソール５８Ｆを介在させて、ＦＰＤカセッテ１Ｆ−ＦＰＤ用コンソール５８Ｆ−放射線発生装置５７間にインターフェースを構築して、同期方式で放射線画像撮影を行うように構成することができる。
【００６２】
同期方式で撮影を行う場合、制御手段２２は、図９に示すように、撮影前に、走査駆動手段１５のゲートドライバ１５ｂから走査線５の各ラインＬ１〜Ｌｘにオン電圧を順次印加して各走査線５に接続されている各ＴＦＴ８を順次オン状態にして、各放射線検出素子７内に残存する電荷を放出させて、各放射線検出素子７のリセット処理を行う。なお、この同期方式では、バイアス線９の結線１０中を流れる電流を検出する必要はないため、電流検出手段４２はオフさせておく。
【００６３】
そして、同期方式の場合には、放射線発生装置５７（図１参照）から照射開始信号を受信したＦＰＤ用コンソール５８Ｆから中継器５４を介してＦＰＤカセッテ１Ｆに照射開始信号が転送されてくると、ＦＰＤカセッテ１Ｆでは、走査線５の最後のラインＬｘまでオン電圧の印加を続行して検出部Ｐの１面分のリセット処理を行った後、ゲートドライバ１５ｂから走査線５の各ラインＬ１〜Ｌｘにオフ電圧を印加させて、各放射線検出素子７のＴＦＴ８をオフ状態にして電荷蓄積状態に移行させる。そして、ＦＰＤ用コンソール５８Ｆに対して放射線の照射を許容する信号（以下ready信号という。）を送信する。
【００６４】
なお、後述するように、放射線発生装置５７から照射開始信号を受信した段階で、ＦＰＤ用コンソール５８ＦからＦＰＤカセッテ１に対して照射開始信号を転送するように構成する代わりに、その段階でＦＰＤ用コンソール５８ＦからＦＰＤカセッテ１に対して撮影可能な状態か否かを問い合わせるように構成される場合もあり、その場合には、ＦＰＤカセッテ１は、上記のようにして１面分のリセット処理Ｒｍを完了し、電荷蓄積状態に移行させた時点で、ＦＰＤ用コンソール５８Ｆに対してready信号を送信する。
【００６５】
そして、ＦＰＤカセッテ１Ｆからready信号を受信したＦＰＤ用コンソール５８Ｆから放射線発生装置５７に対してインターロック解除信号が送信される。
【００６６】
後述するように、放射線発生装置５７は、ＦＰＤ用コンソール５８Ｆからインターロック解除信号を受信すると、放射線源５２からＦＰＤカセッテ１Ｆに対して放射線を照射させる（図９の斜線部分参照）。そして、放射線の照射が終了すると、ＦＰＤカセッテ１Ｆでは、ゲートドライバ１５ｂから走査線５の各ラインＬ１〜Ｌｘにオン電圧を順次印加して、各放射線検出素子７からの画像データＤの読み出し処理が行われる。
【００６７】
このようにして、同期方式では、放射線発生装置５７とＦＰＤ用コンソール５８Ｆ、およびＦＰＤ用コンソール５８ＦとＦＰＤカセッテ１Ｆとの間でそれぞれ信号のやり取りを行い、同期をとりながら放射線画像撮影が行われるようになっている。
【００６８】
また、非同期方式で撮影を行う場合、制御手段２２は、電流検出手段４２を作動させる。そして、図示を省略するが、同期方式（図９参照）の場合と同様に、撮影前に、走査線５の各ラインＬ１〜Ｌｘにオン電圧を順次印加して、各放射線検出素子７のリセット処理を行う。
【００６９】
非同期方式の場合、ＦＰＤカセッテ１Ｆにおけるリセット処理等に関わりなく、放射線画像技師等の撮影者による後述する放射線発生装置５７の曝射スイッチ５６の操作に基づいて放射線源５２から放射線が照射される。放射線が照射されると、放射線の照射により各放射線検出素子７内で発生した電荷の一部がバイアス線９に流出する等して、結線１０中を流れる電流が急激に増加する。
【００７０】
そこで、制御手段２２は、電流検出手段４２から出力される電圧値を監視し、例えば電圧値が予め設定された閾値を越える等して増加した時点で、放射線の照射が開始されたと判断するようになっている。なお、この電流検出手段４２を用いた放射線の照射開始の検出については、例えば特開２００９−２１９５３８号公報に詳しく説明されている。
【００７１】
そして、制御手段２２は、放射線の照射が開始されたと判断すると、各放射線検出素子７のリセット処理を即座に停止して、ゲートドライバ１５ｂから走査線５の各ラインＬ１〜Ｌｘにオフ電圧を印加させて、各放射線検出素子７のＴＦＴ８をオフ状態にして電荷蓄積状態に移行させる。
【００７２】
そして、放射線の照射が終了すると、制御手段２２は、同期方式の場合と同様に、ゲートドライバ１５ｂから走査線５の各ラインＬ１〜Ｌｘにオン電圧を順次印加させて、各放射線検出素子７からの画像データＤの読み出し処理を行う。
【００７３】
このようにして、非同期方式では、ＦＰＤカセッテ１Ｆ自体で放射線の照射が開始されたことを検出して、放射線画像撮影が行われるようになっている。なお、非同期方式における放射線の照射開始の検出手法は、本実施形態のように電流検出手段４２を用いる手法の代わりに、例えば特開２００３−１２６０７２号公報や特開平７−７２２５４号公報、或いは米国特許第７２１１８０３号明細書抜粋に記載されている手法等の種々の手法を採用することが可能であり、電流検出手段４２を用いる手法に限定されない。
【００７４】
一方、本実施形態では、制御手段２２は、各放射線検出素子７から読み出して記憶手段２３に保存した各画像データＤに基づいて、各画像データＤを所定の割合で間引いてプレビュー用の間引きデータＤｔを作成するようになっている。
【００７５】
間引きデータＤｔは、例えば、二次元状に配列された各放射線検出素子７に対応して各画像データＤを配列した場合に３×３画素や４×４画素ごとに１画素分の画像データＤを抽出するようにして作成してもよく、或いは、走査線５の各ラインＬ１、Ｌ４、Ｌ７、…にそれぞれ接続された各放射線検出素子７からの画像データＤのように、走査線５の所定の間隔ごとの各ラインＬｎに接続された各放射線検出素子７からの画像データＤを抽出して作成するように構成することも可能である。
【００７６】
そして、制御手段２２は、放射線画像撮影が終了して各放射線検出素子７から画像データＤを読み出して記憶手段２３に保存すると、即座に間引きデータＤｔを作成し、間引きデータＤｔにＦＰＤカセッテ１Ｆの識別情報であるカセッテＩＤを付与して、後述するように、ＦＰＤ用コンソール５８Ｆに送信するようになっている。この間引きデータＤｔの送信は放射線画像撮影ごとに行われる。
【００７７】
制御手段２２は、間引きデータＤｔをＦＰＤ用コンソール５８Ｆに送信した後、当該間引きデータＤｔの作成の基となった画像データＤ、すなわち当該撮影で得られた全画像データＤを、カセッテＩＤを付与してＦＰＤ用コンソール５８Ｆに自動的に送信するようになっている。
【００７８】
上記のように、間引きデータＤｔの送信は、ＦＰＤ用コンソール５８Ｆからの指示を待たずに自動的に送信されるが、この全画像データＤの送信については、ＦＰＤ用コンソール５８Ｆからの送信指示があった時点で送信するように構成することも可能である。
【００７９】
なお、前述した間引きデータＤｔの送信の際に、ＦＰＤカセッテ１ＦからＦＰＤ用コンソール５８Ｆに間引きデータＤｔを送信するように構成されている場合、ＦＰＤカセッテ１ＦからＦＰＤ用コンソール５８Ｆに画像データＤを送信する際には、全画像データＤのうち、既に送信済みの間引きデータＤｔ以外の画像データＤのみを送信するように構成することも可能である。
【００８０】
この場合、ＦＰＤ用コンソール５８Ｆは、既に受信している間引きデータＤｔと、新たに送信されてきた画像データＤとを合成して全画像データＤを復元するように構成される。
【００８１】
また、後述するように、ＦＰＤカセッテ１Ｆがブッキー装置５１に装填されておらず単独で用いられている場合（すなわちコネクタ３９（図２参照）に何も接続されていない場合）は、制御手段２２は、アンテナ装置４１を介して無線方式で間引きデータＤｔや画像データＤ、後述するオフセット補正値等をＦＰＤ用コンソール５８Ｆに送信する。
【００８２】
さらに、ＦＰＤカセッテ１Ｆがブッキー装置５１に装填されて用いられている場合（すなわちコネクタ３９にブッキー装置５１のコネクタ５１ｂ（後述する図１０、図１１参照）が接続されている場合）は、制御手段２２は、ブッキー装置５１を介して有線方式で間引きデータＤｔ等をＦＰＤ用コンソール５８Ｆに送信するようになっている。
【００８３】
制御手段２２は、１回の放射線画像撮影が終了するごとに、或いは、一連の放射線画像撮影が終了した時点で、これらの放射線画像撮影で得られた画像データＤに重畳されているオフセット分を補正するためのオフセット補正値を得るために、いわゆるダーク読取処理を自動的に行うようになっている。なお、単独或いは一連の放射線画像撮影が開始される前に、ダーク読取処理を行うように構成することも可能である。
【００８４】
ダーク読取処理では、ＦＰＤカセッテ１Ｆの各ＴＦＴ８をオフ状態とし、ＦＰＤカセッテ１Ｆに放射線が照射されない状態で所定時間放置した後、上記の読み出し処理と同様にして、各放射線検出素子７から、それらに蓄積された暗電荷等をいわゆるダーク読取値として読み出す。読み出されたダーク読取値は、記憶手段２３（図８参照）に保存される。
【００８５】
そして、制御手段２２は、読み出した各放射線検出素子７ごとのダーク読取値をオフセット補正値としたり、或いは、ダーク読取処理を複数回行って、各放射線検出素子７ごとに得られた複数のダーク読取値を平均化する等して、オフセット補正値を算出する。そして、オフセット補正値にＦＰＤカセッテ１Ｆの識別情報であるカセッテＩＤを付与して、ＦＰＤ用コンソール５８Ｆに自動的に送信するようになっている。
【００８６】
一方、後述するように、ＦＰＤカセッテ１Ｆが撮影室Ｒａに持ち込まれると、検知手段である後述するクレードル５５に挿入されるようになっている。その際、制御手段２２は、ＦＰＤカセッテ１Ｆがクレードル５５に挿入された際に、コネクタ３９（図２参照）がクレードル５５のコネクタ５５ａ（後述する図１２参照）に接続されると、クレードル５５を介して後述する中継器５４（図１参照）にＦＰＤカセッテ１Ｆの識別情報であるカセッテＩＤを通知するようになっている。
【００８７】
また、制御手段２２は、放射線技師等の撮影者により選択手段である選択スイッチ３８（図２参照）が押下されると、自らの識別情報であるカセッテＩＤと、自らが選択されたことを示す選択信号とを、アンテナ装置４１を介してＦＰＤ用コンソール５８Ｆに送信するようになっている。
【００８８】
ＦＰＤカセッテ１Ｆは、前述したＣＲカセッテ１Ｃと互換サイズを有しており、施設に既存の後述するブッキー装置５１に装填して使用することができるようになっている。
【００８９】
また、ＦＰＤカセッテ１Ｆは、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。なお、ブッキー装填時は、画像データＤの送信や制御用通信等はブッキー装置５１を介して有線方式で行われる。
【００９０】
なお、ＦＰＤカセッテ１Ｆは、後述するように、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。
【００９１】
そして、放射線画像撮影や画像データＤの読み出し処理等を行わない場合に、各機能部に電力を供給すると、バッテリ２４が消耗してしまうため、ＦＰＤカセッテ１Ｆは、各機能部に電力を供給して放射線画像撮影を行うことができる状態、すなわち撮影可能な状態とする撮影可能モードと、放射線画像撮影を行わないような場合に各機能部に電力を供給しないスリープモードとの間で、モードを切り替えることができるようになっている。
【００９２】
スリープモードでは、ＦＰＤ用コンソール５８Ｆからの信号を受信できるようにアンテナ装置４１や制御手段２２等の最小限起動していることが必要な機能部にのみ電力を供給し、バイアス電源１４や走査駆動手段１５、読み出し回路１７（読み出しＩＣ１６）等には電力を供給しないようになっている。
【００９３】
電源スイッチ３７（図２参照）が押下された場合に、ＦＰＤカセッテ１Ｆを撮影可能モードで立ち上げるかスリープモードで立ち上げるかは適宜設定されるとしても、少なくとも、選択スイッチ３８が押下された場合に、ＦＰＤカセッテ１Ｆがスリープモードになっている場合には、ＦＰＤカセッテ１Ｆのモードは撮影可能モードに切り替えられる。
【００９４】
また、ＦＰＤカセッテ１Ｆは、撮影可能モードに切り替えられた後、所定時間が経過しても放射線画像撮影が行われない場合は、所定時間が経過した時点で、モードを自動的にスリープモードに切り替えるようになっている。
【００９５】
そして、ＦＰＤカセッテ１Ｆは、モードが切り替わる際に、ＦＰＤ用コンソール５８Ｆに、撮影可能モードになったことを表す信号、或いはスリープモードになったことを表す信号を、それぞれ自らのカセッテＩＤとともに送信するようになっている。
【００９６】
また、制御手段２２は、放射線技師等の撮影者により電源スイッチ３７が押下されて電源がオンになると、自らの識別情報であるカセッテＩＤと、自らが起動したことを示す起動信号とを、アンテナ装置４１を介してＦＰＤ用コンソール５８Ｆに送信し、また、放射線技師等の撮影者により電源スイッチ３７が押下されて電源をオフされた場合には、ＦＰＤカセッテ１の電源をオフする前に、自らの識別情報であるカセッテＩＤと、自らがオフ状態になることを示す停止信号とを、アンテナ装置４１を介してＦＰＤ用コンソール５８Ｆに送信するようになっている。
【００９７】
次に、放射線画像撮影システム５０における他の各装置等について説明する。
【００９８】
図１に示すように、ブッキー装置５１は、カセッテ保持部５１ａにＦＰＤカセッテ１ＦやＣＲカセッテ１Ｃを装填して用いることができるようになっている。なお、図１では、撮影室Ｒａに、ブッキー装置５１として立位撮影用のブッキー装置５１Ａと臥位撮影用のブッキー装置５１Ｂが設置されている場合が示されているが、例えば、立位撮影用のブッキー装置５１Ａのみ、或いは臥位撮影用のブッキー装置５１Ｂのみが設けられているような場合にも本発明は適用される。
【００９９】
本実施形態では、ブッキー装置５１は、カセッテ保持部５１ａに従来のＣＲカセッテ１Ｃを装填して用いることもできるように構成されており、撮影室ＲａにＣＲカセッテ用に設置されている既存のブッキー装置を用いることが可能である。
【０１００】
そのため、本実施形態では、上記のＦＰＤカセッテ１Ｆは、ＣＲカセッテ１Ｃと同様の寸法になるように形成されている。すなわち、ＣＲカセッテ１Ｃは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【０１０１】
そのため、このＪＩＳ規格サイズのＣＲカセッテ１Ｃを装填することができるブッキー装置５１への装填使用を可能とするため、ＦＰＤカセッテ１Ｆも、ＣＲカセッテ１Ｃが準拠するスクリーンフィルム用のカセッテにおけるＪＩＳ規格に準拠した寸法で形成されている。
【０１０２】
なお、スクリーン／フィルムカセッテやＣＲカセッテ用の既存のブッキー装置を用いない場合には、ＦＰＤカセッテ１Ｆを上記の寸法で形成する必要はなく、ＦＰＤカセッテ１Ｆを任意の大きさや形状に形成することが可能である。しかし、その際には、ブッキー装置５１として、任意に設定された形状のＦＰＤカセッテ１Ｆを装填することができるブッキー装置を新たに撮影室Ｒａ内に設置することが必要となる。
【０１０３】
ブッキー装置５１のカセッテ保持部５１ａの内部には、図１０に示すように、装填されたＦＰＤカセッテ１Ｆのコネクタ３９（図２参照）と接続されるコネクタ５１ｂが設けられている。図１０に示した立位撮影用のブッキー装置５１Ａの場合だけでなく、臥位撮影用のブッキー装置５１Ｂにおいても同様に構成されている。
【０１０４】
なお、上記のように、ブッキー装置５１のカセッテ保持部５１ａの内部にコネクタ５１ｂを設ける代わりに、図１１に示すように、ＦＰＤカセッテ１Ｆをブッキー装置５１に装填する前に、ブッキー装置５１から延びるケーブルの先端に設けられたコネクタ５１ｂをＦＰＤカセッテ１Ｆのコネクタ３９に接続し、その状態でＦＰＤカセッテ１Ｆをブッキー装置５１のカセッテ保持部５１ａに装填するように構成することも可能である。
【０１０５】
ブッキー装置５１は、コネクタ５１ｂとＦＰＤカセッテ１Ｆのコネクタ３９とが接続されると、ＦＰＤカセッテ１Ｆからその識別情報であるカセッテＩＤを読み出し、ＦＰＤカセッテ１ＦのカセッテＩＤと自らの識別情報であるブッキーＩＤとを対応付けて、ＦＰＤ用コンソール５８Ｆに送信するようになっている。
【０１０６】
前述したように、ブッキー装置５１は、ＦＰＤカセッテ１Ｆがカセッテ保持部５１ａに装填されて用いられている場合には、ＦＰＤカセッテ１Ｆからコネクタ３９を介して出力される間引きデータＤｔや画像データＤ、オフセット補正値を後述する中継器５４に有線方式で伝送してＦＰＤ用コンソール５８Ｆに送信するようになっている。
【０１０７】
また、ブッキー装置５１のコネクタ５１ｂとＦＰＤカセッテ１Ｆのコネクタ３９とが接続されることにより、ブッキー装置５１からＦＰＤカセッテ１Ｆに電力を供給するようになっている。そのため、ＦＰＤカセッテ１Ｆの制御手段２２は、コネクタ３９、５１ｂ同士が接続されると、バッテリ２４（図８参照）からの各機能部への電力の供給を停止し、コネクタ３９を介してブッキー装置５１から供給される電力を各機能部に供給するように切り替えるようになっている。なお、各機能部に電力供給しながら、同時にバッテリ２４を充電する構成とすることも可能である。
【０１０８】
図１に示すように、撮影室Ｒａには、被写体に放射線を照射する放射線源５２が少なくとも１つ設けられている。そして、放射線源５２のうち、１つの放射線源５２Ａは、例えば撮影室Ｒａの天井からつり下げられて配置されるようになっており、撮影時にはコンソール５８からの指示に基づいて起動され、図示しない移動手段により所定の位置にまで移動されるようになっている。
【０１０９】
そして、放射線の照射方向を変えることで、立位撮影用のブッキー装置５１Ａや臥位撮影用のブッキー装置５１Ｂに装填されたＦＰＤカセッテ１ＦやＣＲカセッテ１Ｃに対して放射線を照射することができるようになっている。
【０１１０】
また、撮影室Ｒａには、立位撮影用や臥位撮影用のブッキー装置５１Ａ、５１Ｂには対応付けられていないポータブルの放射線源５２Ｂも設けられている。ポータブルの放射線源５２Ｂは、撮影室Ｒａ内のいかなる場所にも持ち運びでき、任意の方向に放射線を照射できるようになっている。なお、図１では、ポータブルの放射線源５２Ｂが放射線源５２Ａの放射線発生装置５７によって制御される場合が示されているが、ポータブルの放射線源５２Ｂを、放射線源５２Ａの放射線発生装置５７とは独立の構成とすることも可能である。
【０１１１】
そして、ＦＰＤカセッテ１ＦやＣＲカセッテ１Ｃを単独の状態（すなわちブッキー装置５１に装填しない状態）で被写体である患者の身体の部分にあてがったり、臥位撮影用のブッキー装置５１Ｂのテーブルや図示しないベッドと患者の身体との間に差し込んだりした状態で、ポータブルの放射線源５２Ｂから適切な距離や方向で放射線を照射することができるようになっている。
【０１１２】
なお、ＦＰＤカセッテ１ＦやＣＲカセッテ１Ｃは、このように、ブッキー装置５１に装填されない単独の状態で放射線画像撮影に用いることができるようになっている。
【０１１３】
放射線源５２は、Ｘ線管球を備えており、Ｘ線管球は、後述する放射線発生装置５７から所定の管電圧や管電流が供給されると、設定された照射時間だけ管電圧等に応じた照射線量の放射線を照射するようになっている。
【０１１４】
前述したように、撮影室Ｒａは鉛などでシールドされているため、撮影室Ｒａ内でＦＰＤカセッテ１Ｆからアンテナ装置４１を介して画像データＤ等の情報を送受信しようとしても、そのままでは送受信できない。そこで、図１に示すように、ＦＰＤカセッテ１Ｆとコンソール５８とが無線通信する際に、これらの通信を中継する無線アンテナ（アクセスポイント等ともいう。）５３を備えた中継器（基地局等ともいう。）５４が設けられている。
【０１１５】
なお、前述したように、ブッキー装置５１と中継器５４とはケーブル等で接続されており、ＦＰＤカセッテ１Ｆをブッキー装置５１に装填して用いる場合には、ＦＰＤカセッテ１Ｆから出力された間引きデータＤｔ等は、ブッキー装置５１や中継器５４等を介して有線方式でＦＰＤ用コンソール５８Ｆに送信される。
【０１１６】
また、中継器５４は、ＦＰＤカセッテ１Ｆを用いて前述した同期方式で撮影が行われる場合には、コンソール５８からＦＰＤカセッテ１Ｆへの照射開始信号の転送（或いはコンソール５８からＦＰＤカセッテ１への問い合わせ）およびＦＰＤカセッテ１Ｆからコンソール５８へのready信号の送信を中継するようになっている。
【０１１７】
中継器５４には、クレードル５５が接続されている。図１２に示すように、撮影室Ｒａに持ち込まれたＦＰＤカセッテ１Ｆがクレードル５５に挿入されて、ＦＰＤカセッテ１Ｆのコネクタ３９とクレードル５５のコネクタ５５ａとが接続されると、前述したようにＦＰＤカセッテ１ＦからカセッテＩＤが、クレードル５５を介して中継器５４に通知されるようになっている。そして、中継器５４は、クレードル５５からＦＰＤカセッテ１ＦのカセッテＩＤが送信されてくると、そのカセッテＩＤをＦＰＤ用コンソール５８Ｆに通知するようになっている。
【０１１８】
なお、クレードル５５は、通常、ＦＰＤカセッテ１Ｆ等を保管したり充電するために用いられるものであり、本実施形態においても、クレードル５５が充電等の機能を有するように構成することも可能である。さらに、図１２では、ＦＰＤカセッテ１Ｆを挿入する挿入口が２個設けられたクレードル５５が示されているが、挿入口は１個でもよく、或いは３個以上設けられていてもよい。
【０１１９】
また、クレードル５５は撮影室Ｒａと前室Ｒｂのいずれに設置されてもよく、撮影室Ｒａに設置される場合には、放射線源５２から照射される放射線が到達しない位置、すなわち、例えば撮影室Ｒａのコーナーの位置等に設置される。
【０１２０】
一方、撮影室Ｒａや前室Ｒｂに持ち込まれたＦＰＤカセッテ１Ｆを検知してコンソール５８にカセッテＩＤを通知する検知手段としては、上記のようにクレードル５５を用いる代わりに、或いはグレードル５５と併用して、図示を省略するが、例えば前室Ｒｂの扉付近にタグリーダを設けるように構成することも可能である。
【０１２１】
このように構成する場合、予め、ＦＰＤカセッテ１Ｆ内に、いわゆるＲＦＩＤ（Radio Frequency IDentification）タグ等の図示しないタグを内蔵させておき、タグにＦＰＤカセッテ１ＦのカセッテＩＤ等の固有情報を記憶させておく。そして、ＦＰＤカセッテ１Ｆがタグリーダの近傍を通過して撮影室Ｒａや前室Ｒｂに持ち込まれる際に、タグリーダでＦＰＤカセッテ１ＦのタグからカセッテＩＤ等の情報を読み取り、そのカセッテＩＤをコンソールに通知するように構成することが可能である。
【０１２２】
このように、検知手段としてタグリーダを用いるように構成すれば、少なくともＦＰＤカセッテ１Ｆについて、その撮影室Ｒａ内への持ち込みおよび当該撮影室Ｒａからの持ち出しの両方を検知することが可能となり、好ましい。
【０１２３】
なお、この場合は、タグリーダとクレードル５５とで少なくともＦＰＤカセッテ１Ｆの撮影室Ｒａ内への持ち込みをダブルチェックするように構成することも可能である。また、検知手段としてタグリーダのみを用いる場合には、クレードル５５は例えば単にＦＰＤカセッテ１Ｆの充電用等として用いられる。
【０１２４】
図１に示すように、前室Ｒｂには、放射線源５２に対して放射線の照射開始等を指示するための曝射スイッチ５６等を備えた放射線発生装置５７が設けられている。また、図１に示すように、放射線発生装置５７には、撮影条件を入力して設定するためのキーボード等の設定手段５７ａが設けられている。
【０１２５】
曝射スイッチ５６は、例えば図１３（Ａ）に示すように、所定長のストロークを有する棒状のボタン部５６ａと、ボタン部５６ａを図中矢印Ｓで示されるストローク方向に移動可能に支持する筐体部５６ｂとで構成されている。そして、曝射スイッチ５６のボタン部５６ａは、例えば、筐体部５６ｂから上方に突出した円筒部５６ａ１と、その内部からさらに上方に突出した円柱部５６ａ２を備えて構成されている。
【０１２６】
そして、図１３（Ｂ）に示すように、撮影者により円柱部５６ａ２が円筒部５６ａ１の上端部分までそのストローク方向Ｓに押し込まれて１段目の操作がなされると（すなわちいわゆる半押し操作が行われると）、曝射スイッチ５６は、放射線発生装置５７に起動信号を送信するようになっている。放射線発生装置５７は、この起動信号を受信すると、放射線源５２のＸ線管球の陽極の回転を開始させる等して放射線源５２をスタンバイ状態とさせるようになっている。
【０１２７】
また、図１３（Ｃ）に示すように、曝射スイッチ５６の円筒部５６ａ１と円柱部５６ａ２とがともに筐体部５６ｂの上端部分まで押し込まれて２段目の操作がなされると（すなわちいわゆる全押し操作が行われると）、曝射スイッチ５６は、放射線発生装置５７に照射開始信号を送信するようになっている。
【０１２８】
また、本実施形態では、後で詳しく説明するように、少なくともＦＰＤ用コンソール５８Ｆで、連携方式に対応する連携モードと非連携方式に対応する非連携モードとのいずれかのモードを設定できるようになっている。
【０１２９】
そして、後述するように、ＦＰＤ用コンソール５８Ｆで非連携モードが設定されると、ＦＰＤ用コンソール５８Ｆでは放射線発生装置５７に対して撮影条件を設定せず、放射線技師等が設定手段５７ａを介して放射線発生装置５７に撮影条件が設定させることが許容される。
【０１３０】
そのため、放射線発生装置５７は、非連携モードが設定されると、設定手段５７ａからの入力を受け付けるようになっている。そして、撮影条件が入力されると、放射線発生装置５７は、放射線源５２を起動させるとともに、入力された撮影条件に基づいて放射線源５２に管電圧や管電流を供給する等して放射線源５２から照射する放射線の照射線量を設定したり、前述した放射線源５２の移動や照射方向の変更等を行うようになっている。
【０１３１】
また、後述するように、ＦＰＤ用コンソール５８Ｆで連携モードが設定されると、ＦＰＤ用コンソール５８Ｆから放射線発生装置５７に、撮影オーダ情報に基づく撮影条件が送信されてくるため、放射線発生装置５７は、ＦＰＤ用コンソール５８Ｆから送信されてきた撮影条件に基づいて、放射線源５２を起動させたり、放射線源５２に管電圧や管電流を供給する等して放射線源５２から照射する放射線の照射線量を設定したり、前述した放射線源５２の移動や照射方向の変更等を行うようになっている。
【０１３２】
なお、本実施形態では、ＣＲ用コンソール５８Ｃは、既に施設に設置されているＣＲ用コンソールが用いられるようになっており、ＣＲ用コンソール５８Ｃが、連携モードで構成されているか、非連携モードで構成されているかによって、放射線発生装置５７に対する撮影条件の設定が、放射線技師等によって行われるか（すなわち非連携モードの場合）、或いはＣＲ用コンソール５８Ｃによって行われるか（すなわち連携モードの場合）が決まっている。
【０１３３】
また、ＣＲ用コンソール５８Ｃが、本実施形態に係るＦＰＤ用コンソール５８Ｆと同様に、連携モードと非連携モードとのいずれのモードも設定可能に構成されている場合には、本実施形態のＦＰＤ用コンソール５８の場合と同様に、放射線発生装置５７は、ＣＲ用コンソール５８Ｃで設定されたモードに応じて、放射線技師等に入力された撮影条件に従うか、ＣＲ用コンソール５８Ｃから送信されてきた撮影条件に従うかを切り替える。
【０１３４】
なお、撮影がＦＰＤ方式で行われるかＣＲ方式で行われるかによって、放射線発生装置５７が放射線源５２から照射する放射線の照射線量を変えることは前述した通りである。また、撮影をＦＰＤ方式で行う場合もＣＲ方式で行う場合も、撮影部位（すなわち撮影される患者の身体の部位）が変わると、放射線源５２から照射する放射線の照射線量も変わるため、連携モード或いは非連携モードにおける照射線量の設定は、撮影ごとに、撮影が開始される前に行われる。
【０１３５】
また、ＣＲ用コンソール５８Ｃ、及び、ＦＰＤ用コンソール５８Ｆには、ＲＩＳ等から同一の撮影オーダ情報がそれぞれに送信される。この撮影オーダ情報は、詳しくは後ほど説明するが、ＣＲやＦＰＤのどちらかの撮影方式を指定するものであっても、撮影方式を指定しないものであっても良い。後者の場合、既存のＲＩＳシステムがＣＲ前提で設計されているので、ＣＲを指定している撮影オーダを、ＦＰＤ用コンソール５８Ｆで選択する場合には、照射線量設定をＣＲ用からＦＰＤ用に自動変換するアプリケーションソフトをＦＰＤ用コンソール５８Ｆに搭載し、自動的に、選択された撮影オーダ情報に対応するＦＰＤ用照射線量設定が行われることが好ましい。
【０１３６】
このように、撮影を行う技師等が適宜、ＣＲまたはＦＰＤを選択使用することが可能なシステムであることが、放射線科内の全体撮影効率を上げることに繋がる。
【０１３７】
本実施形態では、ＦＰＤ用コンソール５８ＦやＣＲ用コンソール５８Ｃは、前室Ｒｂに設けられている。そして、本実施形態では、ＦＰＤ用コンソール５８Ｆは、図示しないＣＰＵやＲＯＭ、ＲＡＭ、入出力インターフェース等がバスに接続されたコンピュータ等で構成されている。ＲＯＭには所定のプログラムが格納されており、ＦＰＤ用コンソール５８Ｆは、必要なプログラムを読み出してＲＡＭの作業領域に展開してプログラムに従って各種処理を実行するようになっている。
【０１３８】
また、本実施形態では、ＣＲ用コンソール５８Ｃは、施設に既設のＣＲ用コンソールが用いられるようになっており、ＣＲ用コンソール５８Ｃは、前述したように、汎用コンピュータにソフトウェアが組み込まれたものである場合もあり、或いは、専用機として構成されている場合もある。
【０１３９】
ＦＰＤ用コンピュータ５８Ｆにおける連携モードや非連携モードの設定については後で詳しく説明するが、ＦＰＤ用コンピュータ５８Ｆは、後述するように、少なくともＦＰＤカセッテ１Ｆから読み出された画像データＤに基づいて放射線画像ｐを生成するようになっている。また、ＣＲ用コンソール５８Ｃは、後述する画像読取装置６１でＣＲカセッテから読み出された画像データＤに基づいて放射線画像ｐを生成するようになっている。
【０１４０】
ＦＰＤ用コンソール５８ＦやＣＲ用コンソール５８Ｃには、いずれもＣＲＴ（Cathode Ray Tube）やＬＣＤ（Liquid Crystal Display）等からなる表示部５９Ｆ、５９Ｃがそれぞれ設けられており、その他、キーボードやマウス等の図示しない入力手段等がそれぞれ接続されている。
【０１４１】
また、ＦＰＤ用コンソール５８ＦやＣＲ用コンソール５８Ｃには、ハードディスク等で構成された記憶手段６０Ｆ、６０Ｃがそれぞれ内蔵され、或いは接続されており、また、図示を省略するが、ＬＡＮ（Local Area Network）等のネットワーク等を介して前述したＨＩＳやＲＩＳ、ＰＡＣＳ（Picture Archiving and Communication System）等が接続されている。
【０１４２】
また、図示を省略するが、ＦＰＤ用コンソール５８ＦやＣＲ用コンソール５８Ｃには、他のコンピュータや、コンソール５８から出力された画像データＤに基づいて放射線画像をフィルムなどの画像記録媒体に記録して出力するイメージャ等の外部機器が、ＬＡＮ等を介して接続されている。
【０１４３】
本実施形態では、ＦＰＤ用コンソール５８Ｆは、前述したように、撮影室Ｒａに持ち込まれたＦＰＤカセッテ１Ｆが挿入されて、ＦＰＤカセッテ１ＦのカセッテＩＤ等がクレードル５５や中継器５４を介して送信されてくると、そのカセッテＩＤを記憶手段５９に保存して、そのカセッテＩＤを有するＦＰＤカセッテ１Ｆが撮影室Ｒａ或いは前室Ｒｂ内に持ち込まれたことを認識して管理するようになっている。
【０１４４】
また、本実施形態では、ＦＰＤ用コンソール５８Ｆは、前述したように、ＦＰＤカセッテ１Ｆから撮影可能モードになったことを表す信号がカセッテＩＤとともに送信されてくると、記憶手段５９に保存されている当該カセッテＩＤに対応付けられて保存されているモードを表す情報が撮影可能モードを表す情報である場合はそのままとし、保存されているモードを表す情報がスリープモードを表す情報である場合は、カセッテＩＤに、撮影可能モードを表す情報を新たに対応付けて上書き保存する。
【０１４５】
また、ＦＰＤカセッテ１Ｆからスリープモードになったことを表す信号がカセッテＩＤとともに送信されてきた場合には、記憶手段５９に保存されている当該カセッテＩＤに対応付けられて保存されているモードを表す情報がスリープモードを表す情報である場合はそのままとし、保存されているモードを表す情報が撮影可能モードを表す情報である場合は、カセッテＩＤに、スリープモードを表す情報を新たに対応付けて上書き保存する。
【０１４６】
ＦＰＤ用コンソール５８Ｆは、このようにして、ＦＰＤカセッテ１Ｆが、現在、撮影可能モードとスリープモードとのいずれのモードにあるかを認識して、各ＦＰＤカセッテ１Ｆの電力供給モードを管理するようになっている。
【０１４７】
さらに、本実施形態では、ＦＰＤ用コンソール５８Ｆは、前述したように、ＦＰＤカセッテ１Ｆから、電源がオンになり起動したことを表す起動信号がカセッテＩＤとともに送信されてくると、記憶手段５９に保存されている当該カセッテＩＤに対応付けられて保存されている状態を表す情報が起動状態を表す情報である場合はそのままとし、保存されている状態を表す情報が停止状態を表す情報である場合は、カセッテＩＤに、起動状態を表す情報を新たに対応付けて上書き保存する。
【０１４８】
また、ＦＰＤカセッテ１Ｆから、電源がオフになりオフ状態になることを表す停止信号がカセッテＩＤとともに送信されてきた場合には、記憶手段５９に保存されている当該カセッテＩＤに対応付けられて保存されている状態を表す情報が停止状態を表す情報である場合はそのままとし、保存されている状態を表す情報が起動状態を表す情報である場合は、カセッテＩＤに、停止状態を表す情報を新たに対応付けて上書き保存する。
【０１４９】
ＦＰＤ用コンソール５８Ｆは、このようにして、ＦＰＤカセッテ１Ｆが、現在、起動しているか停止しているかを認識して、各ＦＰＤカセッテ１Ｆの起動状態を管理するようになっている。
【０１５０】
また、本実施形態では、ＦＰＤ用コンソール５８Ｆは、前述したように、ＦＰＤカセッテ１Ｆがコネクタ５１ｂと接続されたブッキー装置５１から、ＦＰＤカセッテ１ＦのカセッテＩＤとブッキーＩＤとが送信されてくると、記憶手段５９に保存されている当該カセッテＩＤに、ブッキーＩＤを対応付けて保存するようになっている。
【０１５１】
また、ＦＰＤカセッテ１Ｆとコネクタ５１ｂとの接続が解除された場合には、記憶手段５９に保存されている当該ＦＰＤカセッテ１ＦのカセッテＩＤとブッキーＩＤとの対応付けを解除して、カセッテＩＤのみを保存するようになっている。
【０１５２】
このようにして、ＦＰＤ用コンソール５８Ｆは、ＦＰＤカセッテ１Ｆが、ブッキー装置５１に装填されて用いられる場合には、どのＦＰＤカセッテ１Ｆがどのブッキー装置５１に装填されているか、或いは装填されていないかを認識して管理するようになっている。
【０１５３】
さらに、本実施形態では、ＦＰＤ用コンソール５８Ｆは、撮影で使用されるＦＰＤカセッテ１Ｆが非同期方式で使用される場合には、当該ＦＰＤカセッテ１Ｆに対して、当該撮影が非同期方式で行われる旨の信号を送信するようになっている。そして、ＦＰＤカセッテ１Ｆの制御手段２２（図８参照）は、コンソール５８からの信号を受信すると、電流検出手段４２を作動させて、ＦＰＤカセッテ１Ｆ自体で放射線の照射開始を検出するモードに移行するようになっている。
【０１５４】
一方、図１に示すように、ＣＲ用コンソール５８Ｃには、ＣＲカセッテ１Ｃの輝尽性蛍光体プレートから画像データＤを読み出す画像読取装置６１が接続されている。本実施形態では、画像読取装置６１は、撮影室Ｒａや前室Ｒｂの外側に設置されているが、設置場所は任意に決められる。また、図１では、画像読取装置６１が１機だけ設置されている場合が示されているが、画像読取装置６１を複数機設置するように構成することも可能であり、設置される数は適宜決められる。
【０１５５】
画像読取装置６１としては、例えば前述した特開２００３−２８７８３３号公報等に記載されている画像読取装置等の、施設に既設の画像読取装置が用いられる。なお、画像読取装置６１としては、ＣＲカセッテ１Ｃ内の輝尽性蛍光体プレートから画像データＤを読み取ることができるものであれば、上記の構成に限定されない。
【０１５６】
また、撮影後に、ＣＲカセッテ１Ｃを画像読取装置６１に装填する際に、画像読取装置６１で前述したＣＲカセッテ１Ｃのバーコードを読み取り、画像読取装置６１で読み取られたＣＲカセッテ１Ｃのバーコード情報と画像データＤとを対応付けてＣＲ用コンソール５８Ｃに送信するように構成されていれば、ＣＲ用コンソール５８Ｃは、後述するＦＰＤ用コンソール５８Ｆにおける処理と同様に、バーコード情報中に含まれるＣＲカセッテ１ＣのカセッテＩＤをキーとして、読み取られた画像データＤを撮影オーダ情報に対応付けることが可能となる。
【０１５７】
ここで、本実施形態における撮影前の連携モード或いは非連携モードの設定等について説明する前に、撮影が行われた後のＦＰＤ用コンソール５８Ｆにおける画像処理等について説明する。
【０１５８】
ＦＰＤ用コンソール５８Ｆは、撮影者の操作により、前述したＨＩＳやＲＩＳから撮影オーダ情報等の必要な情報を入手するようになっている。
【０１５９】
撮影オーダ情報は、少なくとも撮影部位と撮影条件を指定して設定されるようになっている。具体的には、撮影オーダ情報は、図１４に例示するように、患者情報としての「患者ＩＤ」Ｐ２、「患者氏名」Ｐ３、「性別」Ｐ４、「年齢」Ｐ５、「診療科」Ｐ６、および「撮影部位」Ｐ７、および撮影条件としての「撮影方向」Ｐ８や使用するブッキー装置５１を表す「ブッキーＩＤ」Ｐ９や使用するカセッテの「カセッテＩＤ」Ｐ１０等で構成されるようになっている。そして、撮影オーダが登録された順に、各撮影オーダ情報に対して「撮影オーダＩＤ」Ｐ１が自動的に割り当てられるようになっている。
【０１６０】
ＦＰＤ用コンソール５８Ｆは、撮影オーダ情報を入手すると、図１５に示すように、表示部５９Ｆ上に各撮影オーダ情報の一覧を選択画面Ｈ１として表示するようになっている。本実施形態では、選択画面Ｈ１には、撮影オーダ情報表示欄ｈ１１や選択ボタンｈ１２、決定ボタンｈ１３、戻るボタンｈ１４が表示されるようになっている。
【０１６１】
そして、例えば、撮影者が選択ボタンｈ１２をクリックして、各撮影オーダ情報を選択して、決定ボタンｈ１３をクリックすると、ＦＰＤ用コンソール５８Ｆは、表示部上に図１６に示すような画面Ｈ２を表示するようになっている。
【０１６２】
なお、撮影オーダ情報には、図１５等に示したように、ＣＲカセッテ１Ｃを用いて撮影を行うことが指定されたものもあるが、ＦＰＤ用コンソール５８Ｆで、ＣＲカセッテ１Ｃを用いて撮影を行うことが指定された撮影オーダ情報を選択した場合には、例えば、画面上に警告表示し、撮影オーダ情報中のＣＲカセッテ１Ｃの指定をＦＰＤカセッテ１Ｆに変更することを放射線技師等に要求するように構成することが可能である。
【０１６３】
画面Ｈ２には、図１６に示すように、各撮影オーダ情報に対応する各アイコンＩが表示され、各アイコンＩの下部には、後述するように、アイコンＩの位置に表示されるプレビュー画像ｐ_preを撮影者が見て再撮影が不要と判断したり、アイコンＩの位置に表示される放射線画像ｐが正常であると判断して放射線画像ｐを確定させる際にクリックする「ＯＫ」ボタンと、再撮影が必要であったり、放射線画像ｐに対する画像処理等をやり直す際にクリックする「ＮＧ」ボタンがそれぞれ表示されている。
【０１６４】
また、ＦＰＤ用コンソール５８Ｆで後述する連携モードが設定された場合には、画面Ｈ２の右側に表示されている撮影条件の設定用の表示Ｉａ上の各項目の「＋」ボタンや「−」ボタンをクリックすることで、放射線発生装置５７の放射線源５２の管電圧や管電流、照射時間等の撮影条件を微調整して設定することができるようになっている。
【０１６５】
なお、ＦＰＤ用コンソール５８Ｆで後述する非連携モードが設定された場合には、放射線技師等の撮影者が、放射線発生装置５７の放射線源５２の管電圧や管電流、照射時間等の撮影条件を微調整できると勘違いしないように、画面Ｈ２の右側の撮影条件の設定用の表示Ｉａを表示しないように構成することも可能である。
【０１６６】
一方、本実施形態では、ＦＰＤ用コンソール５８Ｆは、画面Ｈ２上に表示された各アイコンＩ１〜Ｉ４のうち、何れか１つのアイコンＩ（図１６の場合はアイコンＩ２）を選択して、選択したアイコンＩを目立つようにフォーカスして表示されるようになっている。そして、フォーカスされているアイコンＩに対応する撮影オーダ情報に基づく撮影が行われるようになっている。なお、撮影者が、別の撮影オーダ情報に基づく撮影を行いたい場合には、その撮影オーダ情報に対応する他のアイコンＩをクリックする等して選択することにより、フォーカスを遷移させることができるようになっている。
【０１６７】
また、本実施形態では、ＦＰＤ用コンソール５８Ｆは、後述する連携モードが設定された場合には、フォーカスされているアイコンＩに対応する撮影オーダ情報に基づく撮影が行われるように、撮影室Ｒａ内の放射線発生装置５７を制御するようになっているが、この点については、後で説明する。
【０１６８】
なお、ＦＰＤ用コンソール５８Ｆは、アイコンＩをフォーカスさせた時点で、当該アイコンＩに対応する撮影オーダ情報で指定されたＦＰＤカセッテ１Ｆの電力供給モードがスリープモードになっている場合には撮影可能モードに遷移させる等の必要な処理を行うようになっている。
【０１６９】
また、画面Ｈ２の左側には、フォーカスして表示されているアイコンＩに対応する撮影オーダ情報で指定された撮影部位が、撮影者が一目で分かるように表した人体モデルＩｂ上に表示されるようになっている。
【０１７０】
一方、フォーカスして表示されたアイコンＩに対応する撮影オーダ情報に基づく放射線画像撮影が行われると、前述したように、ＦＰＤカセッテ１Ｆからは、各放射線検出素子７の画像データＤから作成された間引きデータＤｔが送信されてくる。ＦＰＤ用コンソール５８Ｆは、ＦＰＤカセッテ１Ｆから間引きデータＤｔが送信されてくると、図１７に示すように、送信されてきた間引きデータＤｔに基づくプレビュー画像を、フォーカスされていた元のアイコンＩ２の位置に表示するようになっている。
【０１７１】
なお、撮影者がプレビュー画像ｐ_preを見易いように、プレビュー画像ｐ_preを画面Ｈ２上に拡大して表示するように構成することも可能である。
【０１７２】
また、その後、当該ＦＰＤカセッテ１Ｆから画像データＤが送信されてくると、ＦＰＤ用コンソール５８Ｆは、画像データＤに付帯されている当該ＦＰＤカセッテ１ＦのカセッテＩＤを参照し、当該アイコンＩに対応する撮影オーダ情報に指定されているＦＰＤカセッテ１Ｆであること等を確認して、撮影オーダ情報に画像データＤを対応付けるようになっている。
【０１７３】
そして、ＦＰＤ用コンソール５８Ｆは、プレビュー画像ｐ_preを所定時間表示する間に、プレビュー画像ｐ_preを見た撮影者が「ＮＧ」ボタンをクリックしなければ、図１８に示すように、フォーカスして表示するアイコンＩを例えばアイコンＩ３に遷移させるとともに、元のアイコンＩ２に対応する撮影でＦＰＤカセッテ１Ｆから送信されてきた画像データＤ等に基づく診断用の放射線画像ｐの生成処理を開始するようになっている。
【０１７４】
なお、プレビュー画像ｐ_preを見た撮影者が上記の所定時間の間に「ＮＧ」ボタンをクリックした場合には、撮影オーダ情報に対する画像データＤの対応付けを解除するとともに、間引きデータＤｔや画像データＤを抹消する。また、画像データＤ等に基づく放射線画像ｐの生成処理も行わない。
【０１７５】
ＦＰＤ用コンソール５８Ｆの記憶手段６０Ｆには、撮影に用いられたＦＰＤカセッテ１Ｆに関するゲイン補正値等の補正データが予め記憶されている。また、前述したように、ＦＰＤカセッテ１Ｆからは撮影ごとにオフセットデータＯが送信されてくる。
【０１７６】
そのため、診断用の放射線画像ｐの生成処理では、ＦＰＤ用コンソール５８Ｆは、それらに基づいて、オフセット補正やゲイン補正、欠陥画素補正、撮影部位に応じた諧調処理等の処理を行うようになっている。また、撮影の際に、ＦＰＤカセッテ１Ｆにグリッドを取り付けて撮影が行われている場合があるため、グリッドによるモアレ除去のためのフィルタリング処理をさらに行うようになっている。
【０１７７】
グリッドを用いた撮影を行う場合、グリッドピッチとＦＰＤカセッテ１Ｆの画素サイズとの関係で、画像データＤにモアレを生じる場合がある。このモアレ対策として、例えば特開２０００−３１６１２６号公報に記載されているように、使用するグリッドを適正に選択すれば、モアレ発生を避けることができる。また、特開平８−８８７６５号公報に記載されているように、一旦、身近のグリッドを使用して撮影を行い、画像データＤ中に含まれるモアレ成分を、次工程でフィルタリング処理して除去することも知られている。
【０１７８】
ＦＰＤカセッテ１Ｆの場合、本実施形態で説明するように複数の撮影室Ｒａで使用されたり、後述する実施形態で説明するように回診先で使用されるので、使用するグリッド種を制限することは得策ではない。すなわち、ＣＲカセッテを用いて撮影を行っていた際に使用されていたグリッドをそのまま使用することが好ましい。また、撮影の都度、各撮影に使用したグリッドピッチ情報を読取り画像に対応付けて保存とすることも可能であるが、専用機型の放射線画像撮影装置の場合とは異なり、ＦＰＤカセッテ１Ｆの場合、グリッドピッチ情報を対応付けるには、大がかりな既存の撮影設備改造が必要になり、しかも、各撮影における放射線技師等の撮影者の操作も増えるため、現実的ではない。
【０１７９】
従って、使用するグリッドを限定せず、使用可能性のあるグリッドピッチに対応したモアレ除去フィルタを予め数種準備しておき、画像データＤに対して、予め準備しておいた全てのフィルタを順次適用することで、モアレのない放射線画像ｐを得る方法が、ＦＰＤカセッテ１Ｆにとっては好ましい。
【０１８０】
ＦＰＤ用コンソール５８Ｆは、診断用の放射線画像ｐを生成すると、図１８に示したように、元のアイコンＩ２の位置に表示する。そして、放射線画像ｐを見た撮影者が、生成された放射線画像ｐが正常であると判断して「ＯＫ」ボタンをクリックすると、放射線画像ｐを確定させて、診断用の放射線画像ｐを撮影オーダ情報に対応付けるようになっている。
【０１８１】
なお、本実施形態では、ＣＲ用コンソール５８Ｃとして、前述したように、施設に既設のＣＲ用コンソールが用いられ、ＣＲ用コンソール５８Ｃにおける画像処理等は、施設に既設のＣＲ用コンソールにおける処理の仕方に従って行われる。
【０１８２】
また、本実施形態では、画像読取装置６１も施設に既設の画像読取装置が用いられるが、その際、撮影後、ＣＲカセッテ１Ｃを画像読取装置６１に装填する際に、画像読取装置６１で前述したＣＲカセッテ１Ｃのバーコードを読み取り、画像読取装置６１で読み取られたＣＲカセッテ１Ｃのバーコード情報と画像データＤとを対応付けてＣＲ用コンソール５８Ｃに送信するように構成されていれば、ＣＲ用コンソール５８Ｃがバーコード情報中に含まれるＣＲカセッテ１ＣのカセッテＩＤをキーとして、読み取られた画像データＤを撮影オーダ情報に対応付けることが可能となり好ましいことは、前述した通りである。
【０１８３】
次に、本実施形態における、撮影前に行われる連携モード或いは非連携モードの設定等について説明する。また、以下、本実施形態に係る放射線画像撮影システム５０の作用についてもあわせて説明する。
【０１８４】
本実施形態では、ＦＰＤ用コンソール５８Ｆは、前述したように、画面Ｈ２（図１６等参照）上でＦＰＤ用コンソール５８Ｆ自体が選択し或いは放射線技師等がクリックして選択したアイコンＩ（すなわちフォーカスされているアイコンＩ）に対応する撮影オーダ情報に含まれる撮影条件、すなわち本実施形態では撮影部位（Ｐ７）や撮影方向（Ｐ８、図１４や図１５参照）に基づいて、放射線発生装置５７に撮影条件を自動設定する連携モードを設定することができるようになっている。
【０１８５】
また、ＦＰＤ用コンソール５８Ｆは、前述したように、アイコンＩの選択等を行っても、ＦＰＤ用コンソール５８Ｆでは放射線発生装置５７に対して撮影条件の自動設定を行わず、放射線技師等の撮影者が放射線発生装置５７の設定手段５７ａ（図１参照）を介して放射線発生装置５７に撮影条件を設定することを許容する非連携モードも設定することができるようになっている。
【０１８６】
放射線発生装置５７に対する撮影条件の設定を、連携モードで行うか、非連携モードで行うかの指定は、例えば、選択画面Ｈ１（図１５参照）で撮影オーダ情報が選択された後、画面Ｈ２を表示する前に、表示部５９Ｆ上に、図示しない設定画面を表示させる等して、ＦＰＤ用コンソール５８Ｆ上で行われる。
【０１８７】
以下、まず、ＦＰＤ用コンソール５８Ｆ上で、連携モードが設定された場合について説明する。
【０１８８】
ＦＰＤ用コンソール５８Ｆは、連携モードが設定されると、選択されフォーカスされているアイコンＩに対応する撮影オーダ情報に含まれる撮影条件を放射線発生装置５７に送信するようになっている。
【０１８９】
なお、この場合、撮影条件自体を送信する代わりに、或いはそれと併せて、放射線発生装置５７から放射線源５２に供給する管電圧や管電流等の照射条件に関する情報を送信するように構成することも可能である。また、撮影条件等の送信に先立って、放射線発生装置５７に連携モードが設定された旨を通知するように構成することも可能である。
【０１９０】
そして、放射線発生装置５７は、ＦＰＤ用コンソール５８Ｆから撮影条件が送信されてくると、放射線源５２が起動していなければ放射線源５２を起動させるとともに、前述したように、送信されてきた撮影条件に基づいて放射線源５２に設定された管電圧や管電流を供給し照射時間を設定する等して放射線源５２から照射する放射線の照射線量を設定したり、前述した放射線源５２の移動や照射方向の変更等を行うようになっている。
【０１９１】
なお、ＦＰＤ用コンソール５８Ｆは、連携方式の場合も下記の非連携方式の場合も、上記のような放射線発生装置５７に対する撮影条件の設定に続いて、前述したように、画面Ｈ２上（図１６参照）でアイコンＩをフォーカスさせた時点で、当該アイコンＩに対応する撮影オーダ情報で指定されたＦＰＤカセッテ１Ｆの電力供給モードがスリープモードになっている場合には撮影可能モードに遷移させるようになっている。
【０１９２】
次に、ＦＰＤ用コンソール５８Ｆ上で、非連携モードが設定された場合について説明する。
【０１９３】
非連携モードが設定された場合には、ＦＰＤ用コンソール５８Ｆは、上記の連携モードの場合のような放射線発生装置５７に対する撮影条件の設定を行わず、放射線技師等の撮影者が放射線発生装置５７の設定手段５７ａ（図１参照）を介して放射線発生装置５７に撮影条件を設定することを許容するようになっている。
【０１９４】
この場合、撮影者に、放射線発生装置５７に対する撮影条件の設定を促すために、ＦＰＤ用コンソール５８Ｆは、例えば図１６に示したように、画面Ｈ２上でアイコンＩをフォーカスさせて表示させる際に、放射線発生装置５７に対して撮影条件の設定を行うことを促す表示や、設定を行ったことを確認する表示を行うように構成することが可能である。
【０１９５】
また、非連携モードが設定された場合、ＦＰＤ用コンソール５８Ｆから放射線発生装置５７に非連携モードが設定された旨を通知するように構成することも可能であるが、予め放射線発生装置５７をデフォルトの状態では非連携モードが設定されるように構成することも可能である。後者の場合、非連携モードが設定されてもＦＰＤ用コンソール５８Ｆから放射線発生装置５７に非連携モードが設定された旨を通知する必要がなくなる。
【０１９６】
そして、放射線発生装置５７は、設定手段５７ａを介して放射線技師等の撮影者により撮影条件の設定がなされると、放射線源５２が起動していなければ放射線源５２を起動させるとともに、前述したように、送信されてきた撮影条件に基づいて放射線源５２に設定された管電圧や管電流を供給し照射時間を設定する等して放射線源５２から照射する放射線の照射線量を設定したり、前述した放射線源５２の移動や照射方向の変更等を行うようになっている。
【０１９７】
放射線画像撮影システム５０が以上のように構成されている場合、特にＦＰＤ用コンソール５８Ｆが上記のように構成されていれば、以下のような作用効果が生じる。
【０１９８】
すなわち、例えば、現在、病院や医院等の施設に既設のＣＲ用コンソール５８Ｃが、非連携方式（すなわち上記の非連携モードに対応してＣＲ用コンソール５８Ｃで放射線発生装置５７の自動設定を行わない方式）に設定されている場合がある。
【０１９９】
この場合、放射線技師等の撮影者は、ＦＰＤ方式で撮影を行う場合に、例えば、施設に新たに導入されたＦＰＤ用コンソール５８ＦにおいてもＦＰＤ用コンソール５８Ｆで放射線発生装置５７の自動設定を行わず、ＣＲ方式の場合と同様に、放射線発生装置５７に対する撮影条件の設定等を自ら行いたいと思う場合がある。また、施設によっては、ＦＰＤ方式で撮影を行う場合でも、非連携方式で行うことが決められている場合もある。
【０２００】
そこで、そのような場合には、撮影者は、ＦＰＤ用コンソール５８Ｆを操作して非連携モードを設定すれば、ＦＰＤ用コンソール５８Ｆにより放射線発生装置５７の設定手段５７ａ（図１参照）を介して放射線発生装置５７に撮影条件が設定されることが許容されるため、放射線発生装置５７の設定手段５７ａを操作して放射線発生装置５７に対する撮影条件の設定等を自ら行うことが可能となる。
【０２０１】
また、施設に既設のＣＲ用コンソール５８Ｃが非連携方式に設定されていても、ＦＰＤ方式で撮影を行う場合には、ＦＰＤ用コンソール５８Ｆの操作により放射線発生装置５７の自動設定を行いたいと思う撮影者もいる思う場合がある。また、施設でそのように決められている場合もある。
【０２０２】
そのような場合には、撮影者は、ＦＰＤ用コンソール５８Ｆを操作して連携モードを設定することで、ＦＰＤ用コンソール５８Ｆが、選択された撮影オーダ情報に含まれる撮影条件に基づいて放射線発生装置５７に対して撮影条件を自動設定するように操作することが可能となる。
【０２０３】
また、上記のことは、施設に既設のＣＲ用コンソール５８Ｃが連携方式に設定されている場合も同様であり、放射線技師等の撮影者は、ＦＰＤ用コンソール５８Ｆを操作して連携モード或いは非連携モードを設定することで、放射線発生装置５７に対する撮影条件の設定を、自らの好みにあわせて、或いは施設の決まりに従って、行うことが可能となる。
【０２０４】
このように、本実施形態では、ＦＰＤ用コンソール５８Ｆで連携モードや非連携モードを自由に設定できるように構成したため、施設に既設のＣＲ用コンソール５８Ｃでの仕様に関連して、自らの好みにあわせて、或いは施設の決まりに従って、ＦＰＤ用コンソール５８Ｆの仕様（すなわち連携モードか非連携モードか）を自由に設定することが可能となる。
【０２０５】
次に、ＦＰＤカセッテ１Ｆが同期方式或いは非同期方式に設定されている場合の放射線画像撮影システム５０における処理について説明する。
【０２０６】
なお、本実施形態では、ＦＰＤ用コンソール５８Ｆは、連携モードが設定されている場合は勿論、非連携モードが設定されている場合であっても、放射線発生装置５７との信号のやり取りを行わないわけではなく、ＦＰＤカセッテ１Ｆが同期方式である場合には、以下のように、少なくとも放射線画像撮影時に放射線発生装置５７やＦＰＤカセッテ１Ｆとの信号のやり取りを行うようになっている。
【０２０７】
すなわち、本実施形態では、以下で説明するように、ＦＰＤ用コンソール５８Ｆが連携モードに設定されているか非連携モードに設定されているかにかかわらず、ＦＰＤカセッテ１Ｆが同期方式である場合には撮影時に放射線発生装置５７やＦＰＤカセッテ１Ｆとの信号のやり取りを行うが、ＦＰＤカセッテ１Ｆが非同期方式の場合には、撮影時には放射線発生装置５７やＦＰＤカセッテ１Ｆとの信号のやり取りを行わない。
【０２０８】
前述したように、本実施形態では、ＦＰＤカセッテ１Ｆは、ブッキー装置５１に装填されて用いられる場合には同期方式で、また、ブッキー装置５１に装填されずに単独の状態で用いられる場合には非同期方式で、それぞれ撮影を行うようになっているため、ＦＰＤ用コンソール５８Ｆは、アイコンＩに対応する撮影オーダ情報で指定されたＦＰＤカセッテ１Ｆが、ブッキー装置５１に装填された状態で用いられる場合には撮影が同期方式で行われ、単独の状態で用いられる場合には撮影が非同期方式で行われると判断する。
【０２０９】
また、放射線発生装置５７は、同期方式で撮影が行われる場合には、前述したように、放射線発生装置５７からＦＰＤ用コンソール５８Ｆに送信した照射開始信号に対して、ＦＰＤ用コンソール５８Ｆからインターロック解除信号が送信されてきた時点で初めて放射線源５２から放射線を照射させるようになっている。
【０２１０】
すなわち、前述したように、本実施形態では、放射線発生装置５７は、送信した照射開始信号に対する応答としてインターロック解除信号を受信した時点で初めて放射線源５２から放射線を照射させるように構成されている。また、本実施形態では、前述したように、ＦＰＤカセッテ１Ｆは、後述するように、ブッキー装置５１に装填されて用いられる場合には同期方式で、また、ブッキー装置５１に装填されずに単独の状態で用いられる場合には非同期方式で、それぞれ撮影を行うようになっている。
【０２１１】
具体的には、放射線発生装置５７は、放射線技師等の撮影者により曝射スイッチ５６が全押しされると（図１３（Ｃ）参照）、曝射スイッチ５６から送信されてきた照射開始信号をＦＰＤ用コンソール５８Ｆに送信する。そして、コンソール５８は、放射線発生装置５７から照射開始信号を受信すると、ＦＰＤカセッテ１Ｆに対して撮影可能な状態であるか否かを問い合わせる。
【０２１２】
そして、ＦＰＤカセッテ１Ｆは、撮影可能な状態になった時点で、すなわち同期方式の場合には図９に示した放射線照射前の各放射線検出素子７のリセット処理が完了した時点で、また、非同期方式の場合には電力供給モードが撮影可能モードになった時点で、ＦＰＤ用コンソール５８Ｆにready信号を送信する。
【０２１３】
そして、ＦＰＤ用コンソール５８Ｆは、ＦＰＤカセッテ１Ｆからのready信号を受信した時点で、放射線発生装置５７にインターロック解除信号を送信する。そして、放射線発生装置５７は、ＦＰＤ用コンソール５８Ｆからのインターロック解除信号を受信すると、その時点で初めて放射線源５２から放射線を照射させるようになっている。
【０２１４】
その際、放射線発生装置５７を、少なくとも非連携モードが設定された場合には、放射線源５２から放射線を照射するごとに、ＦＰＤ用コンソール５８Ｆに対して、放射線を照射させた際の管電流や管電圧、照射時間等に関する撮影実施結果（フィルタを用いたか否か等の情報を含む場合もある。）を送信するように構成することが可能である。
【０２１５】
そして、ＦＰＤ用コンソール５８Ｆは、上記のようにして確定された放射線画像ｐ（図１８等参照）のみならず、放射線発生装置５７から送信されてきた撮影実施結果をも、対応する撮影オーダ情報に対応付けるように構成することが可能である。
【０２１６】
このように構成すれば、ＦＰＤ用コンソール５８Ｆは、上記のように放射線画像ｐを撮影オーダ情報に対応付ける際に、放射線画像ｐの生成の元となった画像データＤに付帯されているＦＰＤカセッテ１ＦのカセッテＩＤを確認するだけでなく、撮影実施結果をも確認して対応付けることが可能となる。
【０２１７】
そのため、確定された放射線画像ｐと撮影実施結果とを、的確に撮影オーダ情報に対応付けることが可能となり、撮影オーダ情報に、当該撮影オーダ情報とは別の撮影オーダ情報に基づいて行われた撮影で得られた画像データＤに基づく放射線画像ｐ等を誤って対応付けてしまうことを確実に防止することが可能となる。
【０２１８】
一方、放射線発生装置５７は、非同期方式で撮影が行われる場合には、ＦＰＤ用コンソール５８Ｆとは通信を行わずに、放射線技師等の撮影者の曝射スイッチ５６の操作に従って、放射線源５２から放射線を照射させる。すなわち、同期方式の場合のような放射線発生装置５７からＦＰＤ用コンソール５８Ｆへの照射開始信号の送信や、ＦＰＤ用コンソール５８Ｆからのインターロック解除信号の返信等を待たずに、曝射スイッチ５６の操作により任意のタイミングで放射線源５２から放射線を照射する。
【０２１９】
このような場合、例えば撮影に用いられるＦＰＤカセッテ１Ｆの電力供給モードがスリープモードである等して、ＦＰＤカセッテ１Ｆが撮影可能な状態ではない状態であるにもかかわらず、放射線発生装置５７の放射線源５２から放射線が照射されてしまう虞れがある。
【０２２０】
そして、このような状態で放射線が照射されると、ＦＰＤカセッテ１Ｆで被写体を適切に撮影することができず、結局、撮影をやり直さなければならなくなり、結局、被写体である患者の被曝線量が増大してしまう等の種々の悪影響が生じる。
【０２２１】
そこで、同期方式の場合も同様であるが、ＦＰＤカセッテ１Ｆが撮影可能な状態にない場合には、撮影者が放射線発生装置５７の曝射スイッチ５６を操作できないように構成すれば、上記のような問題が発生することを防止することができる。そして、例えば、放射線発生装置５７の曝射スイッチ５６に、曝射スイッチ５６が操作されることを防止するための誤曝射防止手段を設けることが望ましい。
【０２２２】
誤曝射防止手段としては、例えば図１９（Ａ）、（Ｂ）に示すように、曝射スイッチ５６に取り付けられたカバー装置７０を用いることができる。
【０２２３】
そして、放射線画像撮影がＣＲカセッテ１Ｃを用いて行われる場合には、撮影者が放射線源５２から任意のタイミングで放射線を照射させてよいため、誤曝射防止手段であるカバー装置７０は、通常の状態では、常時開状態とされるように構成される。
【０２２４】
また、後述するように、撮影がＦＰＤカセッテ１Ｆを用いて行われるＦＰＤ方式で行われ、ＦＰＤ用コンソール５８Ｆで制御されて行われる場合には、カバー装置７０の開閉が行われる。そのため、カバー装置７０の開閉は、ＦＰＤ用コンソール５８Ｆによって制御されるように構成されている。
【０２２５】
カバー装置７０は、例えば曝射スイッチ５６の上方に配置され、開放させることでカバー装置７０を開状態とし、また、閉鎖させることでカバー装置７０を閉状態とする蓋部７１と、閉鎖された状態の蓋部７１を下側から支持する支持板７２とを備えて構成されている。
【０２２６】
支持板７２は、ホルダＨに収納された状態の曝射スイッチ５６の両側側方に１枚ずつ平行に立設された計２枚の板状部材で構成されており、支持板７２の上部の一端側に設けられた蝶番構造７３を介して蓋部７１が支持板７２に対して揺動可能に取り付けられている。
【０２２７】
なお、このように、上記の構成例では、放射線技師等の撮影者が２枚の支持板７２の間からホルダＨに収納された曝射スイッチ５６を視認することは可能であるが、例えば２枚の支持板７２の間に手を入れて曝射スイッチ５６をホルダＨから取り出そうとしても、閉鎖された蓋部７１に邪魔されて、曝射スイッチ５６をホルダＨから取り出すことができないようになっている。
【０２２８】
逆の言い方をすれば、曝射スイッチ５６の上端と閉鎖された状態の蓋部７１との位置関係が、上記のように、撮影者が２枚の支持板７２の間に手を入れて曝射スイッチ５６をホルダＨから取り出そうとしても、閉鎖された蓋部７１に邪魔されて曝射スイッチ５６をホルダＨから取り出すことができないような位置に、閉鎖された蓋部７１が配置されるように調整される。
【０２２９】
なお、蓋部７１が開状態（図１９（Ａ）中の一点鎖線参照）とされれば、曝射スイッチ５６をホルダＨから取り出すことができる。また、カバー装置７０の支持板７２を、上記の２枚だけ設ける代わりに、３枚設けて曝射スイッチ５６を３方向から包囲するように構成したり、４枚設けて曝射スイッチ５６の四方を包囲するように構成することも可能であり、適宜に構成される。
【０２３０】
また、曝射スイッチ５６が、ホルダＨを回動したり水平移動したりして操作するように構成されている場合には、カバー装置７０の支持板７２を、上記の２枚だけ設けると、蓋部７１が閉鎖されている状態でも、撮影者が支持板７２の間に手を入れてホルダＨを回動したり水平移動したりして曝射スイッチ５６を操作することができてしまうため、支持板７２を３枚或いは４枚設けて、曝射スイッチ５６を３方向から或いは四方を包囲するように構成して、蓋部７１が閉鎖された状態では曝射スイッチ５６を操作することができないように構成することが必要となる。
【０２３１】
一方、支持板７２の当該一端側の外側には、モータ７４が取り付けられており、モータ７４の回転軸７５が、上記の蝶番構造７３の下側で２枚の支持板７２を略垂直にそれぞれ貫通するように配置されている。また、このモータ７４は、例えばＵＳＢ（Universal Serial Bus）ケーブルＣでＦＰＤ用コンソール５８Ｆに電気的に接続されており、ＦＰＤ用コンソール５８Ｆからモータ７４に対して電力（例えば５［Ｖ］或いは２４［Ｖ］）が供給され、或いは電力の供給が停止されるようになっている。
【０２３２】
また、モータ７４の回転軸７５の、２枚の支持板７２の内側の所定の位置には、ギア７６が固定されており、また、蓋部７１の蝶番構造７３が形成された端部には、モータ７４の回転軸７５に設けられたギア７６に対応する位置に、ギア７６と噛み合うギア７７が固定されている。
【０２３３】
そして、ＦＰＤ用コンソール５８Ｆから電力が供給されてモータ７４の回転軸７５が回動すると、回転軸７５に固定されたギア７６から蓋部７１に固定されたギア７７に回転駆動力が伝達され、それにより、蓋部７１が蝶番構造７３を中心として揺動して、蓋部７１が開放されたり閉鎖させたりするようになっている。
【０２３４】
また、蓋部７１が閉鎖された際に接触することで蓋部７１が閉鎖されたことを検出するセンサ７８が、支持板７２の上端部分に設けられており、センサ７８は、コンソール５８に電気的に接続されている。そして、ＦＰＤ用コンソール５８Ｆは、蓋部７１を閉鎖した際に、センサ７８から送信された蓋部７１が閉鎖されたことを表す信号を受信することにより、カバー装置７０の蓋部７１が確実に閉鎖されたことを確認するようになっている。
【０２３５】
なお、図１９（Ａ）では、センサ７８とＦＰＤ用コンソール５８Ｆとの電気的な接続の表示が省略されている。また、図１９（Ａ）、（Ｂ）では、２枚の支持板７２のうち、一方の支持板７２にのみセンサ７８を設ける場合を示したが、両方の支持板７２に設けるように構成することも可能である。
【０２３６】
また、蓋部７１が開閉されたことを確認する手法としては、センサ７８を設ける代わりに、或いは、それと併用して、例えば図２０に示すように、例えば、発光素子７９ａと受光素子７９ｂとを備える光学的検知手段７９をカバー装置７０の近傍に設けておき、蓋部７１が開放されると、発光素子７９ａから発光された光が開放された蓋部７１によって反射されて受光素子７９ｂに到達することで、カバー装置７０の開閉を検知するように構成することも可能である。
【０２３７】
さらに、図２１（Ａ）、（Ｂ）に示すように、カバー装置７０の蝶番構造７３の部分にタンブラーバネＴを設ける等して、蓋部７１が閉鎖された状態になるように付勢されているが、所定の位置以上に開放されると、逆に開放された状態になるように付勢されるように構成することも可能である。
【０２３８】
このように構成すれば、蓋部７１が閉鎖された状態や開放された状態では、コンソール５８からのモータ７４に対する電力の供給を停止しても、タンブラーバネＴによりそれらの状態が維持される。そのため、消費電力を低減することが可能となる。
【０２３９】
さらに、上記のようにカバー装置７０の蓋部７１を支持板７２に対して蝶番構造７３を介して揺動可能に取り付けるように構成する代わりに、例えば、図２２に概略的に示すように、蓋部７１の下面側に設けたラック７１ａとモータ７４の回転軸７５に固定されたギア（この場合はピニオンともいう。）７６とを組み合わせたラックアンドピニオン構造とし、モータ７４の回転により蓋部７１が支持板７２上を水平方向に移動するようにして、蓋部７１の開閉動作を行わせるように構成することも可能である。
【０２４０】
前述したように、放射線画像撮影がＣＲ方式で行われる場合には、従来通り、放射線技師等の撮影者が、放射線発生装置５７の曝射スイッチ５６を操作して放射線源５２から任意のタイミングで放射線を照射させてよい。そのため、カバー装置７０は、通常の状態では、常時開状態とされている。そして、撮影者が、少なくともＣＲ用コンソール５８Ｃを操作している間は、カバー装置７０は常時開状態になっている。
【０２４１】
一方、撮影がＦＰＤカセッテ１Ｆを用いて行われるＦＰＤ方式で行われる場合には、上記のように、例えば撮影に用いられるＦＰＤカセッテ１Ｆの電力供給モードがスリープモードである等して、ＦＰＤカセッテ１Ｆが撮影可能な状態ではない状態では、放射線源５２から放射線が照射されないように制御する必要が生じる。
【０２４２】
撮影が同期方式で行われる場合には、放射線源５２から放射線を照射する際には、上記のように、放射線発生装置５７からＦＰＤ用コンソール５８Ｆに照射開始信号を送信し、ＦＰＤ用コンソール５８Ｆが、ＦＰＤカセッテ１Ｆが撮影可能な状態にあることを確認したうえで放射線発生装置５７にインターロック解除信号を送信した後、初めて放射線源５２から放射線が照射されるため、カバー装置７０を常時開状態としておいてもよい。
【０２４３】
また、前述したように、ＦＰＤ用コンソール５８Ｆは、ＦＰＤ用コンソール５８Ｆの画面Ｈ２（図１６参照）でアイコンＩをフォーカスさせた時点で、当該アイコンＩに対応する撮影オーダ情報で指定されたＦＰＤカセッテ１Ｆの電力供給モードがスリープモードになっている場合には撮影可能モードに遷移させる。
【０２４４】
そのため、安全のために、ＦＰＤ用コンソール５８ＦがＦＰＤカセッテ１Ｆの電力供給モードを撮影可能モードに遷移させるまで、或いはＦＰＤカセッテ１Ｆの電力供給モードが撮影可能モードになっていることを確認するまでは、カバー装置７０を閉状態としておき、ＦＰＤカセッテ１Ｆが撮影可能な状態になった時点でカバー装置７０を開状態とするように構成することが可能である。
【０２４５】
また、撮影が非同期方式で行われる場合には、上記の処理が必須になる。すなわち、非同期方式では、ＦＰＤ用コンソール５８Ｆと放射線発生装置５７との間で同期方式の場合のような照射開始信号やインターロック解除信号の送受信は行われないため、ＦＰＤカセッテ１Ｆが撮影可能な状態でない状態で放射線が照射される事態が生じ得るようになる。
【０２４６】
そのため、ＦＰＤ用コンソール５８Ｆは、撮影が非同期方式で行われる場合には、ＦＰＤカセッテ１Ｆの電力供給モードを撮影可能モードに遷移させるまで、或いはＦＰＤカセッテ１Ｆの電力供給モードが撮影可能モードになっていることを確認するまでは、カバー装置７０を閉状態としておき、ＦＰＤカセッテ１Ｆが撮影可能な状態になった時点で、カバー装置７０を開状態とするように構成される。
【０２４７】
このように構成すれば、撮影に用いられるＦＰＤカセッテ１Ｆが撮影可能な状態ではない状態であるにもかかわらず、放射線源５２から放射線が照射されてしまうことを的確に防止することが可能となる。
【０２４８】
以上のように、本実施形態に係る放射線画像撮影システム５０によれば、ＦＰＤ用コンソール５８Ｆを連携モードとするか非連携モードとするかを自由に設定することが可能となるため、施設に既設のＣＲ用コンソール５８Ｃでの仕様に関連して、放射線技師等の撮影者が、ＦＰＤ用コンソール５８Ｆの仕様を自由に設定することが可能となる。
【０２４９】
そのため、施設や撮影室Ｒａ内にＣＲ用コンソール５８ＣとＦＰＤ用コンソール５８Ｆが混在する状況においても、放射線発生装置５７に対する撮影条件の設定を自動的に行うか（すなわち連携モードで行うか）マニュアルで行うか（すなわち非連携モードで行うか）を、撮影者自身の好みにあわせて、或いは施設の決まりに従って、自由にかつ的確に設定することが可能となり、放射線画像撮影システム５０が撮影者にとって非常に使い勝手がよいものとなる。
【０２５０】
また、上記のように、カバー装置７０等の誤曝射防止手段を放射線発生装置５７の曝射スイッチ５６に設ければ、ＦＰＤカセッテ１Ｆが撮影可能な状態にない状態で放射線が照射されることを防止することが可能となる。そのため、撮影可能な状態になったＦＰＤカセッテ１Ｆに放射線を再度照射する必要がなくなり、被写体である患者の被曝線量が増大してしまうことを的確に防止することが可能となる等のメリットがある。
【０２５１】
なお、上記の実施形態では、ＦＰＤ用コンソール５８Ｆで、連携モードと非連携モードの設定を行う場合について説明した。しかし、連携モードと非連携モードの設定を、例えば放射線発生装置５７（図１参照）で行うように構成することも可能である。
【０２５２】
この場合、例えば放射線発生装置５７に図示しないトグルスイッチ等の入力手段を設けておき、放射線技師等の撮影者が、例えば撮影室Ｒａで撮影を開始する前に、放射線発生装置５７の入力手段を操作して、連携モードと非連携モードのいずれかのモードを設定する。また、モードを切り替える場合には、放射線発生装置５７の入力手段を操作してモードを切り替える。
【０２５３】
そして、この場合、放射線発生装置５７は、少なくとも連携モードが設定された場合には、ＦＰＤ用コンソール５８Ｆに対して連携モードが設定された旨を通知する。そして、ＦＰＤ用コンソール５８Ｆは、放射線発生装置５７から連携モードが設定された旨の通知を受けた場合には、前述したように、アイコンＩ（図１６参照）をフォーカスさせて選択した撮影オーダ情報に含まれる撮影条件を放射線発生装置５７に送信する。
【０２５４】
そして、前述したように、放射線発生装置５７は、送信されてきた撮影条件に基づいて放射線源５２に管電圧や管電流を供給する等して放射線源５２から照射する放射線の照射線量を設定する等の操作を行うように構成される。そして、このように構成しても、本実施形態と全く同様の有益な効果を得ることが可能となる。
【０２５５】
また、その他、本発明が上記の実施形態や変形例に限定されず、適宜変更可能であることはいうまでもない。
【符号の説明】
【０２５６】
１Ｃ  ＣＲカセッテ
１Ｆ  ＦＰＤカセッテ
７  放射線検出素子
５０  放射線画像撮影システム
５１  ブッキー装置
５２  放射線源
５６  曝射スイッチ
５７  放射線発生装置
５７ａ  設定手段
５８Ｃ  ＣＲ用コンソール
５８Ｆ  ＦＰＤ用コンソール
７０  カバー装置（誤曝射防止手段）
Ｄ  画像データ
ｐ  放射線画像
【図１】
2012125309.tif 000003
【図２】
2012125309.tif 000004
【図３】
2012125309.tif 000005
【図４】
2012125309.tif 000006
【図５】
2012125309.tif 000007
【図６】
2012125309.tif 000008
【図７】
2012125309.tif 000009
【図８】
2012125309.tif 000010
【図９】
2012125309.tif 000011
【図１０】
2012125309.tif 000012
【図１１】
2012125309.tif 000013
【図１２】
2012125309.tif 000014
【図１３】
2012125309.tif 000015
【図１４】
2012125309.tif 000016
【図１５】
2012125309.tif 000017
【図１６】
2012125309.tif 000018
【図１７】
2012125309.tif 000019
【図１８】
2012125309.tif 000020
【図１９】
2012125309.tif 000021
【図２０】
2012125309.tif 000022
【図２１】
2012125309.tif 000023
【図２２】
2012125309.tif 000024